(57)【要約】      （修正有）【課題】複数の異なるスポーツに関する速度の測定結果を表示するのに適した情報処理装置及びプログラムを提供する。【解決手段】パソコン１１０にて、スポーツに関する速度の測定結果に関するデータを記録したＳＤカードからデータを読み出してハードディスクに保存する。このデータとしては、複数の種類のスポーツに関する速度の測定結果に関するデータが記録されており、パソコン１１０では、表示画面に対して、複数の種類のスポーツに関する速度の測定結果のうち、いずれの種類のスポーツに関する速度の測定結果を表示させるかを選択するための選択画面を表示し、選択画面から選択された種類のスポーツに関する速度の測定結果のデータを、ハードディスクから読み出し、当該測定結果のデータをグラフとして表示画面に表示させる制御を行う。【選択図】図１
2014193404.tif 000002
【特許請求の範囲】
【請求項１】
複数の種類のスポーツに関する速度を測定する機能を備える速度測定装置であって、
情報処理装置に接続し、前記情報処理装置の表示手段に表示されたスポーツの種類ごとに設けられた前記速度測定装置の設定項目を設定するための設定部にて入力された設定項目を当該速度測定装置に設定する設定機能と、
前記複数の種類のスポーツから測定対象のスポーツの種類を選択する選択機能と、
前記選択機能によって選択された種類のスポーツについて前記設定機能で設定された当該スポーツの種類についての設定項目に基づいて速度の測定をする測定機能と
を備えることを特徴とする速度測定装置。
【請求項２】
前記測定機能によって測定された前記設定機能で設定された設定項目に基づく速度を記録する記録機能を備え、当該記録機能によって記録された当該スポーツの種類についての速度を前記情報処理装置に表示可能としたこと
を特徴とする請求項１に記載の速度測定装置。
【請求項３】
前記速度測定装置は、前記情報処理装置を前記速度測定装置に接続しない状態で単独で動作し、前記測定結果に関するデータを前記表示する機能を用いて表示する機能を備えること
を特徴とする請求項１または２に記載の速度測定装置。
【請求項４】
前記情報処理装置を前記速度測定装置に接続した状態で、前記速度測定装置で測定した測定結果に関するデータを前記情報処理装置の表示手段にリアルタイムで表示させる機能を備えること
を特徴とする請求項１から３のいずれかに記載の速度測定装置。
【請求項５】
前記情報処理装置を前記速度測定装置に接続した状態で、前記速度測定装置の設定を送信し、前記情報処理装置の表示手段に表示されたスポーツの種類ごとに設けられた前記速度測定装置の設定として読み込ませること
を特徴とする請求項１から４のいずれかに記載の速度測定装置。
【請求項６】
請求項１から５のいずれかに記載の速度測定装置から送信された情報を無線受信して表示する機能を備えた表示装置であって、
前記速度測定装置から無線送信された情報のうち、予め設定された速度測定装置の識別情報に合致するもののみを表示させること
を特徴とする表示装置。
【請求項７】
請求項１から５のいずれかに記載の速度測定装置から送信された情報を無線受信して表示する機能を備えた表示装置であって、
前記速度測定装置から無線送信された速度情報の履歴を表示する機能を備えたこと
を特徴とする表示装置。
【請求項８】
請求項１から５のいずれかに記載の速度測定装置から送信された情報を無線受信して表示する機能を備えた表示装置であって、
当該表示装置の電池残量が少なくなった場合にその旨を示す表示を行う機能と、
前記速度測定装置の電池残量が少なくなった場合にその旨を示す表示を行う機能とを備えたこと
を特徴とする表示装置。
【請求項９】
請求項１から５のいずれかに記載の速度測定装置と前記情報処理装置とを備えるシステム。
【請求項１０】
請求項９に記載のシステムにおける速度測定装置の機能をコンピュータに実現させるためのプログラム。
【請求項１１】
請求項９に記載のシステムにおける情報処理装置の機能をコンピュータに実現させるためのプログラム。
【発明の詳細な説明】
【技術分野】
【０００１】
本発明は、スポーツに関する速度の測定結果を表示する情報処理装置およびプログラムに関する。
【背景技術】
【０００２】
従来、スポーツに関する速度の測定結果を表示する情報処理装置として、特許文献１に示すように、ゴルフ用の速度測定結果を表示する情報処理装置が知られている。
【先行技術文献】
【特許文献】
【０００３】
【特許文献１】特開２００８−２８４１３３号公報
【発明の概要】
【発明が解決しようとする課題】
【０００４】
このような情報処理装置は測定対象のスポーツ別に別々のプログラム（ソフト）として構成され、それぞれ、別々にソフト立ち上げて、それぞれのソフトで速度の測定結果を表示させる必要があった。
【０００５】
測定対象のスポーツごとに、その測定方法、表示内容、構造等が異なるため、例えば、学校やスポーツクラブなどのように、複数の異なるスポーツに関する速度を測定したいときは、それぞれのスポーツ用の速度測定装置を購入する必要があるとともに、そのそれぞれのスポーツ用の速度測定装置用の専用ソフトを立ち上げて、測定結果を見る必要があった。
【０００６】
そのため、手間がかかるとともに、使い勝手が悪いという問題があった。
【０００７】
本発明は、複数の異なるスポーツに関する速度を表示するのに適した情報処理装置及びプログラムを提供することを目的とする。
【課題を解決するための手段】
【０００８】
上記の課題を解決するために、本発明の情報処理装置は、（１）スポーツに関する速度の測定結果に関するデータを記録した記録手段から前記データを読み出して表示手段に表示させる制御を行う制御手段を備える情報処理装置であって、前記記録手段は、複数の種類のスポーツに関する速度の測定結果に関するデータを記録しており、前記制御手段は、前記表示手段に対して、前記複数の種類のスポーツに関する速度の測定結果のうち、いずれの種類のスポーツに関する速度の測定結果を表示させるかを選択するための選択手段を備え、前記選択手段によって選択された種類のスポーツに関する速度の測定結果のデータを、前記記録手段から読み出し、当該測定結果のデータをグラフとして前記表示手段に表示させる制御を行う。
【０００９】
このようにすることで、ユーザは、複数の種類のスポーツの中から自己の表示させたいデータをグラフとして表示させることが容易にできる。したがって、手間がかからず、使い勝手がよい。
【００１０】
（２）前記制御手段は、前記選択手段によって選択されたスポーツを示す情報とともに、前記グラフとともに、前記グラフに表示したデータの少なくとも一部のデータを表形式で、前記グラフと同一の画面内に同時に表示させ、前記グラフ及び前記表の配置は前記複数の種類のスポーツの表示画面間で略同一の配置とするとよい。
【００１１】
このようにすれば、現在表示されているグラフが、どのスポーツのものであるかが容易に分かる。また、複数の種類のスポーツのグラフの表示画面において、グラフと表の配置が略同一であるから、見た目の統一感がある。したがって、手間がかからず、使い勝手がよくなる。
【００１２】
（３）前記記録手段は、記録媒体、または、測定装置自体に記憶された、前記スポーツに関する速度の測定結果に関するデータを取得して記録する取得手段を備えるとよい。
【００１３】
記録手段は、記録媒体、または、測定装置自体としてもよいが、このように、取得手段を設けることで、例えば、前記スポーツに関する速度の測定結果に関するデータを取得して記録する記録先として、記録媒体や装置自体よりも大容量の媒体とすることが容易にできる。例えば、記録媒体としてＳＤカード、前記スポーツに関する速度の測定結果に関するデータを取得して記録する記録先としてハードディスク等とするとよい。このようにすれば、例えば、複数の記録媒体からの情報を取得して、記録することも容易にでき、使い勝手がよくなる。
【００１４】
なお、記録媒体は、例えば、カード状またはスティック状の記録媒体とするとよい。
【００１５】
（４）（３）の構成を前提として、前記取得手段は、前記スポーツに関する速度の測定結果に関するデータを取得して記録する際に、当該測定を行った日付をユーザからの操作に基づいて設定し、当該スポーツに関する速度の測定結果に関するデータと関連づけて記録するとよい。
【００１６】
このようにすることで、記録媒体や速度測定装置にリアルタイムクロックを搭載しなくとも、ユーザによって容易に測定日と当該スポーツに関する速度の測定結果に関するデータと関連づけて記録させることができる。したがって、速度測定装置のコストを削減することができる。
【００１７】
（５）前記記録手段には、前記速度の測定結果に関するデータを、当該データの時系列が判別可能に記録しており、前記制御手段は、前記記録手段に記録されたデータを時系列に沿って前記グラフとして表示させる制御を行うとよい。
【００１８】
このようにすれば、時系列に沿ってグラフが表示されることとなるため使い勝手がよい。当該データの時系列が判別可能に記録する構成としては、例えば、時系列に順に記録することや、時系列に沿って増加する番号をデータと関連付けて記録することや、データを測定した日時を当該データと関連付けて記録する構成などを採るとよく、制御手段は、このように記録された順や、番号や、日時に沿って、グラフとして表示させる制御を行うとよい。グラフとして表示させる構成としては、例えば、時系列を横軸、測定結果を縦軸として表示させる構成を採るとよい。
【００１９】
（６）（５）の構成を前提として、前記制御手段は、前記グラフとして表示させる前記時系列内の範囲をユーザから入力する範囲入力手段を備え、前記範囲入力手段によって入力された時系列の範囲の前記速度の測定結果に関するデータを表示させるとよい。
【００２０】
このようにすれば、ユーザが表示させたい範囲のデータのみがグラフに表示されるため、使い勝手がよい。なお、前記グラフとして表示させる前記時系列内の範囲としては、例えば、日付の範囲を用いるとよい。
【００２１】
（７）前記記録手段は、前記時系列が判別可能な速度の測定結果のデータは、所定の測定単位内に得た値をその測定順を判別可能に記録したデータであり、前記制御手段は、前記時系列に基づく値を第一の軸方向、前記測定結果のデータに基づく値を前記第一の軸方向とは異なる第二の軸方向として、前記グラフとして表示させる制御を行うとよい。
【００２２】
所定の測定単位内に得た値としては、例えば、前記スポーツとしてゴルフのスイング速度の測定値であれば、スイング中に一定時間間隔で連続的に検出された速度の中から、スイング速度として認められる範囲内の値であって、最下点に到達した時点の値、あるいは、最高速度の値など、その測定単位内で選択ないし決定された１つの値とするとよく、制御手段は、このように選択ないし決定された１つの値を時系列に沿ってグラフに表示させる制御を行うとよい。
【００２３】
また、測定順を判別可能に記録する構成としては、例えば、時系列に順に記録することや、時系列に沿って増加する番号をデータと関連付けて記録することや、データを測定した日時を当該データと関連付けて記録する構成などを採るとよい。
【００２４】
所定の測定単位は、例えば、測定開始を測定対象物の検知時とし、測定終了を測定対象物が検知されなくなったとき、あるいは、測定開始時から所定時間の経過した時点や所定距離の移動があった時点とするとよい。所定の測定単位は、記録対象のスポーツの特性に応じて決定するとよく、例えば、ゴルフのスイングであれば、ゴルフクラブに相当する信号の検出があった時点から通常スイングに要する時間が経過するまでとするとよい。
【００２５】
このようにすれば、ユーザは、所定の測定単位における測定データの測定順での違いや変化を容易に知ることができる。
【００２６】
（８）（７）の構成を前提として、前記記録手段は、前記所定の測定単位内に得た、前記速度の測定結果のデータを複数、または、前記速度の測定結果と速度以外の測定結果のデータとを、関連付けて記録しており、前記制御手段は、これら関連付けて記録されたデータを１つの画面内に同時に前記グラフとして表示させる制御を行なうとよい。
【００２７】
前記速度の測定結果のデータを複数関連付けて記憶する構成としては、例えば、スポーツとしてバッティングの速度を測定する場合、バットのスイング速度の測定結果と、そのスイングによる打球の速度の測定結果とを関連付けて記憶する構成とするとよい。前記速度の測定結果と速度以外の測定結果のデータとを関連付けて記録する構成としては、例えば、スポーツとしてバッティングの速度を測定する場合、バットのスイング速度の測定結果と、そのスイングによる打球の推定飛距離とを関連付けて記憶する構成とするとよい。もちろん、これらを組み合わせて、例えば、スポーツとしてバッティングの速度を測定する場合、バットのスイング速度の測定結果と、そのスイングによる打球の速度の測定結果と、そのスイングによる打球の推定飛距離とを関連付けて記憶する構成とするとよい。関連付けて記憶する構成としては、例えば、同一の行にテキストデータでこれらの値を記録する構成を採るとよい。
【００２８】
このようにすれば、所定の測定単位内に得た速度の測定結果のデータ間の関連性、または、速度の測定結果と速度以外の測定結果のデータ間の関連性を、グラフを見るだけで容易に知ることができる。
【００２９】
（９）前記記録手段は、前記時系列が判別可能な速度の測定結果のデータは、所定の測定単位内に所定間隔ごとに記録されたデータであり、前記制御手段は、前記時系列に基づく値を第一の軸方向、前記測定結果のデータに基づく値を前記第一の軸方向とは異なる第二の軸方向として、前記グラフを描画するとよい。
【００３０】
所定の測定単位は、記録対象のスポーツの特性に応じて決定するとよく、例えば、短距離走であれば、走者に相当する信号の検出があった時点から通常短距離走に要する時間（例えば２５秒など）が経過するまでとするとよい。また、例えば、スタートやゴールをセンサによって検出して、所定の測定単位としてもよい。
【００３１】
所定間隔は、記録対象のスポーツの特性に応じて決定するとよく、相対的に高速で移動する物体の速度を測定する場合には、その間隔は相対的に短くし、相対的に低速で移動する物体の速度を測定する場合にはその間隔は相対的に長く設定するとよい。
このようにすれば、所定の測定単位内に所定間隔ごとに記録されたデータの変化を容易にグラフから読み取ることができる。
【００３２】
（１０）前記記録手段は、前記所定の測定単位内に所定間隔ごとに記録されたデータは、その測定の時系列を特定可能に複数備え、前記制御手段は、前記複数の時系列のデータのうち前記グラフとして表示するデータを選択する表示データ選択手段を備え、前記表示データ選択手段によって選択された前記所定の測定単位内に所定間隔ごとに記録されたデータを前記グラフとして表示し、前記表示データ選択手段は、前記グラフとして表示するデータを選択するために、当該データを前記測定の時系列に表形式で表示するものであり、当該表形式の表示と前記グラフとは同一の画面内に表示する制御を行うとよい。
【００３３】
このようにすれば、表を見てグラフとして表示させたい「所定の測定単位内に所定間隔ごとに記録されたデータ」を表の中から選択するだけで、その「所定の測定単位内に所定間隔ごとに記録されたデータ」のグラフを表示させることができる。
【００３４】
（１１）（７）から（１０）のいずれかの構成を前提として、前記制御手段は、複数の前記所定の測定単位のデータの中から比較対象となる所定の測定単位のデータを選択する比較対象選択手段を備え、前記比較対象選択手段によって選択された比較対象となる所定の測定単位のデータと、選択された表示対象の所定の測定対象のデータとを同時に前記グラフ内に表示させる制御を行うようにするとよい。
【００３５】
このようにすれば、複数の「所定の測定単位のデータ」間の比較をグラフによって容易に行うことができる。例えば、ある模範となる選手の「所定の測定単位のデータ」を比較対象のデータとして選択し、その他の選手の「所定の測定単位のデータ」を表示対象のデータとして選択することで、模範となる選手との違いを容易に見ることができる。
【００３６】
（１２）（１１）の構成を前提として、前記制御手段は、前記複数の前記所定の測定単位のデータを表形式で表示し、当該表の中から前記表示対象の所定の測定対象のデータを選択する表示対象選択手段を備えるとよい。
このようにすれば、表を見てその表の中から容易に表示対象の所定の測定対象のデータを選択することができる。
【００３７】
（１３）前記制御手段は、前記グラフの軸の最大値を複数の候補値の中から選択する最大値選択手段を備え、最大値選択手段によって選択された最大値を当該グラフの当該軸の最大値として前記グラフを表示させる制御を行うとよい。
このようにすれば、ユーザは候補値の中から選択するだけでグラフのスケールを適切な値として設定して、グラフを表示させることができる。
【００３８】
（１４）前記記録手段は、前記スポーツに関する速度の測定結果に関するデータとしてピッチングによるボールの初速とボールの終速の測定結果のデータを記録しており、前記制御手段は、前記グラフとして、前記初速の値と前記終速の値とをつなぐ１つのバーとして表示させるとよい。
このようにすれば、初速と終速の差を容易に把握することができ、使い勝手がよい。
【００３９】
（１５）  前記記録手段は、前記スポーツに関する速度の測定を行う機器の設定を記録する設定記録手段を備え、前記制御手段は、前記設定記録手段に記録された機器の設定に基づいて前記グラフの表示を行い、前記設定記録手段に記録された設定を読み出して表示し、当該表示した設定のうちユーザからの指示に基づいて変更があった場合、前記設定記録手段に記録された機器の設定を更新する制御を行うようにするとよい。
このようにすれば、設定と連動してグラフが表示されることとなり、使い勝手がよい。
【００４０】
（１６）本発明のプログラムは、（１）から（１５）のいずれかに記載の情報処理装置の機能をコンピュータに実現させるためのプログラムとして実現するとよい。
【発明の効果】
【００４１】
本発明によれば、手間がかからず、使い勝手のよい、複数の異なるスポーツに関する速度を表示するのに適した情報処理装置及びプログラムを提供することができる。
【図面の簡単な説明】
【００４２】
【図１】情報処理装置の構成と情報処理装置、速度測定装置及び記録媒体の関係を示す図である。
【図２】速度測定装置の機能ブロックを示す図である。
【図３】速度測定装置の本体の外観構成を示す図である。
【図４】速度測定装置の子機の外観構成を示す図である。
【図５】検出モードの内容を示す図である。
【図６】メインメニュー画面とその操作及び処理を示す図である。
【図７】本体のアイコン表示部を示す図である。
【図８】子機のアイコン表示部を示す図である。
【図９】設定メニューの画面とその操作及び処理を示す図である。
【図１０】ピッチングモードにおける本体の設置方法を示す図である。
【図１１】ピッチングモードの画面とその操作及び処理を示す図である。
【図１２】バッティングモードでの設置方法とその画面、操作及び処理を示す図である。
【図１３】ゴルフモードでの設置方法とその画面、操作及び処理を示す図である。
【図１４】図１３の続きの図である。
【図１５】推定飛距離を算出するためのクラブ種別のロフト角の例を示す図である。
【図１６】短距離走モードでの設置方法とその画面、操作及び処理を示す図である。
【図１７】汎用モードの画面とその操作及び処理を示す図である。
【図１８】角度誤差の生じる例を示す図である。
【図１９】初期設定確認ダイアログを示す図である。
【図２０】メインメニューを示す図である。
【図２１】フォルダの参照ダイアログの表示例を示す図である。
【図２２】データ読込ダイアログ等の表示例を示す図である。
【図２３】データ編集ウインドウ等の表示例を示す図である。
【図２４】ピッチングデータ表示ウインドウの表示例を示す図である。
【図２５】日付指定ダイアログの表示例を示す図である。
【図２６】ピッチングのデータ表示ウインドウの別の表示例を示す図である。
【図２７】バッティングのデータ表示ウインドウの別の表示例を示す図である。
【図２８】ゴルフのデータ表示ウインドウの表示例を示す図である。
【図２９】短距離走のデータ表示ウインドウの表示例を示す図である。
【図３０】短距離走のデータ表示ウインドウの別の表示例を示す図である。
【図３１】短距離走のデータ表示ウインドウの別の表示例を示す図である。
【図３２】比較データ読み込みダイアログの表示例を示す図である。
【図３３】短距離走のデータ表示ウインドウの別の表示例を示す図である。
【図３４】汎用のデータ表示ウインドウの表示例を示す図である。
【図３５】測定結果表示ウインドウの表示例を示す図である。
【図３６】測定結果表示ウインドウの別の表示例を示す図である。
【図３７】設定ダイアログの表示例を示す図である。
【図３８】設定ダイアログの別の表示例を示す図である。
【図３９】設定ダイアログの別の表示例を示す図である。
【図４０】設定ダイアログの別の表示例を示す図である。
【図４１】設定ダイアログの別の表示例を示す図である。
【発明を実施するための形態】
【００４３】
以下、図面を用いて本発明の好適な実施形態を説明する。本実施形態の情報処理装置は、図１に示すように、一般的なパソコン１１０から構成される。パソコン１１０にはカラー液晶のディスプレイ１２０、図示省略のキーボード、マウスが接続されている。また、パソコン１１０が備えるＵＳＢポートには、カードリーダライタ１３０が接続されている。速度測定装置本体１０にて測定した各種のスポーツに関する速度の測定結果は、速度測定装置本体１０によってmicroSDカード５０に記録される。ユーザはそのmicroSDカード５０をカードリーダライタ１３０に挿入して、パソコン１１０で動作する記録解析ソフトにて読み込ませ、その測定結果などをディスプレイ１２０に表示させることができる。
【００４４】
ここではまず速度測定装置本体１０を含む速度測定装置の動作を説明し、続いて、パソコン１１０における記録解析ソフトの動作について説明する。
【００４５】
速度測定装置は、マイクロ波ドップラーセンサを用い、そのマイクロ波ドップラーセンサから出力されるドップラー信号に基づき、制御部で演算処理をして速度を求め、その求めた結果を表示部へ出力したり、記録媒体に記録したりするものである。図２は本速度測定装置の機能構成を、図３，図４は本速度測定装置の外観構成を示す図である。本速度測定装置は、速度測定装置本体１０（図３）と子機３０（図４）とから構成される。
【００４６】
速度測定装置本体１０は、マイクロ波ドップラーセンサ１１と、そのマイクロ波ドップラーセンサ１１から出力されるドップラー信号を増幅するアンプ１２と、制御部１３と、表示部１４と、記憶部１５と、通信部１６と、操作部１７とを備える。制御部１３は、ＣＰＵ、ＲＯＭ、ＲＡＭ、Ｉ／Ｏ等を備えるマイコンであって、アンプ１２と表示部１４と記憶部１５と通信部１６と操作部１７と接続されており、アンプ１２の出力に基づき速度を算出する速度算出処理、速度算出処理で算出した速度を表示部１４に表示させる速度表示処理、速度算出処理で算出した速度を記憶部１５に記憶させる記憶処理、通信部１６から情報を通信する通信処理、操作部１７の操作に応じた処理を行うユーザインターフェース処理等の各種の処理を行う。制御部１３のマイコンはＲＯＭに記憶されたプログラムを実行することにより、各種の処理を行い、各種の機能を実現する。
【００４７】
図３（ａ）は速度測定装置本体１０の天面の構成を、図３（ｂ）は速度測定装置本体１０の底面の構成を、図３（ｃ）は速度測定装置本体１０の左側面の構成を示す図である。速度測定装置本体１０の天面には、通信部１６を構成する無線通信部１６ａと表示部１４と操作部１７を構成する電源ボタン１７ａ、スタート／ストップボタン１７ｂ、操作ボタン１７ｃを備える。表示部１４は、天面の中心部に配置し、表示部１４の上側（ドップラーセンサ１１配置側）に、無線通信部１６ａを配置し、表示部１４の下側（ドップラーセンサ１１配置側と反対側）に操作部１７を配置している。操作ボタン部１７ｃは、中心にセットボタン、セットボタンの上側に上ボタン、下側に下ボタン、右側に右ボタン、左側に左ボタンを配置している。速度測定装置本体１０の底面には電池格納部２１と市販のカメラ用三脚を取り付けるための三脚取付部２２を有する。電池格納部２１に格納された電池からマイクロ波ドップラーセンサ１１、アンプ１２、制御部１３、表示部１４、記憶部１５、通信部１６、操作部１７は電源供給を受けて動作する。速度測定装置本体１０の左側面には、記憶部１５を構成するメモリカードリーダライタ１５ａ、通信部１６を構成するＵＳＢ端子１６ｂを備える。
【００４８】
ドップラーセンサ１１配置側を測定対象１の移動する物体に向けて速度を測定する。無線通信部１６ａには送信アンテナを備え、制御部１３は、無線通信部１６ａを制御し、算出した速度等の各種の情報を子機３０へ送信する機能を備える。表示部１４はドットマトリックス液晶表示パネルであり、制御部１３の制御により、速度の検出結果（測定結果）やバッテリー残量などを表示する。電源ボタン１７ａは、電源をＯＮ／ＯＦＦするためのボタンである。セットボタンは、各種設定の決定に使用するボタンであり、上ボタンは、各種設定項目の選択（上移動）に使用するボタンである。下ボタンは各種設定項目の選択（下移動）に使用するボタンである。左ボタンは、メインメニューを表示させるためなどに使用するボタンである。右ボタンは、設定メニューの表示や各種設定項目へ移行するときに使用するボタンである。メモリカードリーダライタ１５ａは、microSD カードスロットを有する。制御部１３は、メモリカードリーダライタ１５ａを制御し、制御部１３に備えたメモリに記録した測定結果を、メモリカードリーダライタ１５ａに挿入されたmicroSD カード５０に保存する機能を備える。保存した結果は、制御部１３が読み出して表示部１４に表示させたり、パソコン１１０でこのmicroSD カード５０を読み取って表示させたりすることができる。ＵＳＢ端子１６ｂは、miniUSB 端子であり、miniUSB 端子に電源を供給する市販のＡＣアダプターやＵＳＢ端子を備えたパソコン１１０等からの電源供給のほか、パソコン１１０とＵＳＢケーブルで接続することにより、制御部１３の制御によって、制御部１３のメモリ内のデータやmicroSD カードスロットに挿入されたmicroSD カード５０に保存されたデータをパソコン１１０へ転送する機能を備える。また、操作部１７からの操作と同様の操作をＵＳＢ端子１６ｂに接続されたパソコン１１０からの制御指示に基づいて実行する機能と、表示部１４に表示する情報をＵＳＢ端子１６ｂに接続されたパソコン１１０に対して送信する機能とを備える。
【００４９】
子機３０は、制御部３３と、表示部３４と、通信部３６と、操作部３７とを備える。制御部３３は、ＣＰＵ、ＲＯＭ、ＲＡＭ、不揮発性メモリ、Ｉ／Ｏ等を備えるマイコンであって、表示部３４と通信部３６と操作部３７と接続されており、速度測定装置本体１０の通信部１６から送信された情報を通信部３６で受信し、通信部３６からその受信した情報を受け取る通信処理、通信部３６にて受信した情報を表示部３４に表示させる表示処理、操作部３７の操作に応じた処理を行うユーザインターフェース処理等を行う。制御部３３のマイコンはＲＯＭに記憶されたプログラムを実行することにより、各種の処理を行い、各種の機能を実現する。
【００５０】
図４は、子機３０の操作面からみた構成を示す図である。子機３０は、携帯可能なリモコンであり、表示部３４、通信部３６を構成するアンテナ３６ａ、操作部３７を構成する電源ボタン３７ａ、ＩＤ登録ボタン３７ｂ、履歴ボタン３７ｃを備える。
【００５１】
電源ボタン３７ａは、電源をＯＮ／ＯＦＦするときに使用するボタンであり、ＩＤ登録ボタン３７ｂは、速度測定装置本体１０に子機３０のＩＤ登録を行うときに使用するボタンであり、履歴ボタン３７ｃは、記録された結果を確認するときに使用するボタンである。表示部３４は、セグメント液晶表示パネルであり、制御部３３の制御により、速度測定装置本体１０で測定された速度などを表示する。子機３０の背面には、ボタン電池格納部を備え、ボタン電池格納部に格納されたボタン電池から制御部３３、表示部３４、通信部３６、操作部３７は電源供給を受けて動作する。
【００５２】
子機３０は、速度測定装置本体１０から無線送信された表示用情報を受信して表示する。子機３０は通信部３６によって受信した速度測定装置本体１０から無線送信された表示用情報のうち、予め設定された本体識別情報に合致するもののみを表示させる処理を行う。したがって、子機３０は何台でも増設することができ、複数の速度測定装置本体１０が競技場内に存在する場合であっても、特定の速度測定装置本体１０の測定結果（表示用情報）のみを表示させることができる。
【００５３】
そして、本実施形態の速度測定装置は、図５（ａ）に示すように、所定のスポーツ（検出モード）としてのピッチング、バッティング、ゴルフ、短距離走の専用モードと、これらの所定のスポーツには特化せずに、所定の時間間隔で繰り返し速度を算出して、算出した速度を表示する汎用モードとを備える。
【００５４】
ピッチングモードは、野球やソフトボールにおける投手が投げたボールの球速はもちろんのこと、キャッチボールその他の状況で投げられたボールの球速、さらには、野球・ソフトボール以外のサッカー、テニス、バレーボール、ハンドボールなどの球技におけるボールの球速を測定するために特化したモードである。このモードにおける制御部１３は、ボールの初速度、ボールの終速度、初速度と終速度との測定された地点間の距離である初速終速間距離を求め、これらを表示部１４に表示させるとともに、無線通信部１６ａを制御してこのボールの初速度を、子機３０へ送信する。子機３０では、図５（ｂ）に示すように、通信部３６で速度測定装置本体１０から送信されたボールの初速度を受信し、制御部３３が通信部３６からボールの初速度を取得して、表示部３４にこのボールの初速度を表示させる。
【００５５】
バッティングモードは、野球やソフトボールのバッティングの速度を測定するために特化したモードである。このモードにおける制御部１３は、バットスイング速度、打球の初速度、打球の推定飛距離を求め、これらを表示部１４に表示させるとともに、無線通信部１６ａを制御してこのバットスイング速度を、子機３０へ送信する。子機３０では、通信部３６で速度測定装置本体１０から送信されたバットスイング速度を受信し、制御部３３が通信部３６からバットスイング速度を取得して、表示部３４にこのバットスイング速度を表示させる。
【００５６】
ゴルフモードは、ゴルフクラブスイングに関する速度を測定するために特化したモードである。このモードにおける制御部１３は、ゴルフクラブのヘッドスピード、ヘッドの打撃によって打ち出されたボールスピード、ボールの推定飛距離、ミート率を求め、表示部１４に表示させる。ゴルフモードでは、子機への算出結果の送信は行わない。
【００５７】
短距離走モードは、陸上競技の１００ｍ走や走り幅跳びの助走などの速度を測定するために特化したモードある。このモードにおける制御部１３は、瞬時速度、最高速、最高速到達距離、最高速保持距離を求め、瞬時速度の時系列の変化をグラフとして、また最高速度、最高速度到達距離、最高速度保持距離を数値データとして、表示部１４に表示させるとともに、無線通信部１６ａを制御してこの最高速度を、子機３０へ送信する。子機３０では、通信部３６で速度測定装置本体１０から送信された最高速度を受信し、制御部３３が通信部３６から最高速度を取得して、表示部３４にこの最高速度を表示させる機能を有する。
【００５８】
汎用モードは、自動車や二輪車の走行、スキー・スノーボードの滑走などを含む各種のスポーツの速度を測定可能な特定の対象に特化しない汎用のモードである。このモードにおける制御部１３は、瞬間速度を求め、瞬間速度を時系列の変化をグラフとして、また、瞬間速度と、最高速度とを数値データとして、表示部１４に表示させるとともに、無線通信部１６ａを制御してこの最高速度を、子機３０へ送信する。子機３０では、通信部３６で速度測定装置本体１０から送信された最高速度を受信し、制御部３３が通信部３６から最高速度を取得して、直近５回秒間の最高速度を制御部３３の有するＲＡＭ上に保持し、表示部３４にこの最高速度を表示させる機能を有する。
【００５９】
速度測定装置本体１０の電源ボタン１７ａが２秒間続けて押下されると電池から制御部１３及びその他の各部へ電源が供給され、子機３０も同様に電源ボタン３７ｃが２秒間続けて押下されると電池から制御部１３及びその他の各部へ電源が供給される。
以下、制御部１３の処理を中心に説明する。処理の主体の明示がない箇所は制御部１３の処理である。
【００６０】
電源が供給されると、制御部１３は図６に示すように、初めて電源が投入された場合には「メインメニュー画面」を表示する。一方、各測定モードのなどの画面を前回終了時に表示させていた場合には、どの画面が表示された状態で電源ＯＦＦがなされたかの情報を記憶しておき、この記憶された情報に基づいて前回の電源ＯＦＦ時の画面を表示させ、その画面に対応する処理を実行する。
【００６１】
メインメニューは、「ピッチング」「バッティング」「ゴルフ」「短距離走」「汎用」「システム設定」の項目から構成されており、現在選択状態となっている項目は反転表示（黒地に白の文字）をする。
【００６２】
下ボタンの押下が検出されると、選択項目を下の項目に移動し、上ボタンの押下が検出されると選択項目を上の項目に移動する描画処理を行い、表示部１４に表示させる。セットボタンの押下が検出されると、選択項目のモードの処理へ移行する。
【００６３】
例えば、図６に示すように、下ボタンを押下が検出された場合、選択項目を「ピッチング」から「バッティング」に移動し、この状態でセットボタンの押下が検出されるとバッティングモードの処理へ移行して、バッティングモードの画面を描画する処理を行い、表示部１４にバッティングモードの画面を表示させる。以下各種メニューの選択は同様の処理で行う。
表示部１４の上部には、図７（ａ）に示すように、アイコン表示部を設けている。アイコン表示部は、すべての画面に共通して設けた表示部である。
【００６４】
アイコン表示部は、図７（ａ）に示すように、左から右へ順に、(1)バッテリー残量表示部、(2)モード等表示部、(3)本体内部の記録状態表示部、(4)ＳＤカード表示部を有する。図７（ｂ）は、アイコン表示部に表示するアイコンの態様を示している。図７（ｂ）に示すように、(1) バッテリー残量表示部には、速度測定装置本体１０を電池で使用しているときに、電池残量を２段階でアイコン表示する。(2)モード等表示部には、ピッチングモード、バッティングモード、ゴルフモード、短距離走モード、汎用モード、速度検出中、システム設定モードなど、現在のモード等を示すアイコンを表示する。(3)本体内部の記録状態表示部には、本体内部の制御部１３のＲＡＭの測定データ記憶領域の記録容量がいっぱいになった場合に、その旨を示すアイコンを表示する。(4)ＳＤカード表示部には、microSDカード５０を装着していないときは表示を行わず、microSDカード５０を装着しているとき「ＳＤ」のアイコンを表示し、microSDカード５０の記憶容量がいっぱいになると「ＦＵＬＬ」のアイコンを表示する。
【００６５】
次に子機３０のアイコン表示について説明する。子機３０も同様に図８（ａ）に示すように表示部３４内の上部に、アイコン表示部を設けており、子機３０の制御部３３は、アイコン表示部の描画処理を行って、子機３０の表示部３４にアイコン表示部を表示させる。子機３０のアイコン表示部は、図８（ａ）に示すように、左から右へ順に、(1)ローバッテリー表示（子機）部、(2)履歴表示部、(3)ローバッテリー表示（本体）部を有する。図８（ｂ）は、アイコン表示部に表示するアイコンの態様を示している。すなわち、ローバッテリー表示（子機）部は、子機３０の電池残量が少なくなるとその旨を示すアイコンを表示する。履歴表示部には、子機３０で受信した速度記録結果を確認するときに「履歴１」〜「履歴９」を表示する。ローバッテリー表示（本体）には、本体の電池残量が少なくなった場合にその旨を示すアイコンを表示させる。
【００６６】
次に、速度測定装置本体１０における各種設定のしかたについて説明する。速度測定装置本体１０における各種設定を行う場合、まず、図６に示したメインメニューで、あらかじめ設定を行いたい検出モードを選択する。そして、設定を行いたい検出モードの画面を表示している状態で右ボタンの押下が検出された場合、図９に示すようにその検出モードに応じた設定メニューを表示させる。この設定メニューには、その検出モードに応じて予め設定された設定項目を上から下へ順に並べて表示する。図９の例では、設定項目として「ノーカウント」「１回／連続」「最高値表示（本体）」「平均値表示（本体）」を表示している。設定項目は１画面に４つ表示できるが、これを超えた表示項目はスクロール表示によって表示させることができる。設定メニューを表示した状態で、上ボタンの押下を検出した場合には現在選択されている項目の１つ上の項目を選択項目とし、下ボタンの押下が検出された場合には１つ下の項目を選択項目とする。選択項目は図９に示すように反転表示する。この状態で右ボタンの押下を検出した場合には、設定内容の画面を表示させる。設定内容の画面は複数の設定内容の項目からなる。制御部１３は現在制御部１３に備える不揮発性メモリに記憶された設定値を読み出し、その設定値の設定内容の設定内容の項目の表示の左側にチェックマークを描画する。設定内容の選択は設定メニューの処理と同様に上ボタンまたは下ボタンの押下に応じて反転表示を移動させて行い、セットボタンの押下を検出した場合には、現在選択中（反転表示中）の設定内容の左側にチェックマークを移動させて描画し、そのセットボタンの押下された項目の設定内容を制御部１３に備えた不揮発性メモリに記憶する。スタート／ストップボタンの押下が検出された場合、設定メニュー表示前の状態に戻る。
【００６７】
図９の例は、ピッチングモードでの検出方法を「１回」に設定する場合の例を示している。ユーザは、メインメニューでピッチングモードを選択し、右ボタンを押下すると設定メニューが表示される。ユーザは、上ボタンや下ボタンを押して、「１回／連続」の項目を選択し、右ボタンを押下すると設定内容の画面が表示される。設定内容の画面として「連続」と「１回」が表示される。制御部１３は、現在制御部１３に備える不揮発性メモリに記憶されたピッチングモードの「１回／連続」の設定値を読み出し、その設定値である「連続」の表示の左側にチェックマークを描画している。ユーザは、上ボタンや下ボタンを押して、「１回」の項目を選択して反転表示させる。この状態で、セットボタンを押下すると、現在選択中の「１回」の左側にチェックマークが移動表示され、制御部１３に備える不揮発性メモリのピッチングモードの「１回／連続」の設定値は「１回」に更新される。
次に、各モードの設定メニューの内容について説明する。
【００６８】
ピッチングモードの設定メニューでは、ピッチングモードの状態で右ボタンの押下が検出された場合に、設定処理を行う。ピッチングモードの設定メニューは、設定項目として「ノーカウント」「１回／連続」「最高値表示（本体）」「平均値表示（本体）」「記録表示（本体）」「記録保存（ＳＤ）」「記録消去（本体）」「最低球速設定」「斜め方向補正」を備える。「ノーカウント」は設定内容として「実行」を備え、「実行」の選択（セットボタンの押下）が検出された場合、最新の測定結果を消去する。ユーザは、表示された検出結果を記録させたくない場合に、この操作を行うことで、その測定結果をノーカウントとさせることができる。「１回／連続」は設定内容として「１回」と「連続」を備える。「１回」の選択（セットボタン押下）が検出された場合には、スタート／ストップボタンの押下が検出された場合に、１回の速度測定と速度表示を行って測定を終了する動作を行うように設定する。一方「連続」の選択（セットボタン押下）が検出された場合には、スタート／ストップボタンの押下が検出された場合に、再度スタート／ストップボタンの押下が検出されるまで、速度測定と速度表示を繰り返し行うように設定する。「最高値表示（本体）」が選択（右ボタン押下）された場合は制御部１３に記録されている測定結果である初速、終速、区間の最高値をそれぞれ検索して表示する。「平均値表示（本体）」が選択（右ボタンの押下）された場合は制御部１３に記録されている測定結果である初速、終速、区間の平均値を算出してそれぞれ表示する。「記録表示（本体）」が選択（右ボタン押下）された場合は、制御部１３に記録されている測定結果を記録ナンバーとともに表示する。上ボタンまたは下ボタンの押下を検出した場合、記録内容の画面を切り替える。「記録保存（ＳＤ）」は設定内容として「実行」を備え、「実行」の選択（セットボタンの押下）が検出された場合、制御部１３の不揮発性メモリに記録された測定結果をmicroSDカード５０に記録（保存）する。「記録消去（本体）」は、設定内容として「実行」を備え、「実行」の選択（セットボタンの押下）が検出された場合、制御部１３の不揮発性メモリに記録された測定結果を消去する。「最低球速設定」は、設定内容として、速度表示の最低値を３０〜８０ｋｍ／ｈの範囲から１ｋｍ／ｈ単位で設定できる。上ボタン、下ボタンの押下の検出で速度値を選択し、セットボタンの押下が検出された場合、制御部１３の不揮発性メモリにそのときの値を速度表示の最低値として記憶する。捕手から投手への返球などの速度の遅い投球を表示させたくない場合にこの設定を適当な値に設定すると有効である。「斜め方向補正」は、０度から２０度の範囲で１度単位に、本体１０の設置角度の補正値を設定できる。上ボタン、下ボタンの押下の検出で補正値を選択し、セットボタンの押下が検出された場合、制御部１３の不揮発性メモリにそのときの値を斜め方向補正の値として記憶する。本体１０の設置位置（角度）によって、検出結果の値に大きな誤差があると思われる場合に適当に設定するとよい。この斜め方向補正が設定されている場合には、画面にその旨を示すアイコンを表示させる。
【００６９】
バッティングモードの設定メニューでは、バッティングモードの状態で右ボタンの押下が検出された場合に、設定処理を行う。バッティングモードの設定メニューは、設定項目として「ノーカウント」「１回／連続」「最高値表示（本体）」「平均値表示（本体）」「記録表示（本体）」「記録保存（ＳＤ）」「記録消去（本体）」「最低球速設定」「斜め方向補正」を備える。これら各設定項目の内容及び処理内容は、ピッチングモードと同様であるが、ピッチングモードでの設定値はピッチングモードの設定値として記録するのに対し、バッティングモードでの設定値はバッティングモードの設定値として記憶する点が異なる。
【００７０】
ゴルフモードの設定メニューでは、ゴルフモードの状態で右ボタンの押下が検出された場合に、設定処理を行う。ゴルフモードの設定メニューは、設定項目として「ノーカウント」「クラブ種選択」「画面セレクト」「速度単位選択」「ナイスショット基準値」「基準クラブ選択」「クラブ係数編集」「平均値表示（本体）」「記録表示（本体）」「記録保存（ＳＤ）」「記録消去（本体）」を備える。「ノーカウント」「平均値表示（本体）」「記録表示（本体）」「記録保存（ＳＤ）」「記録消去（本体）」各設定項目の内容及び処理内容は、ピッチングモードと同様であるが、ゴルフモードの設定値として記憶する点が異なる。「クラブ種選択」は設定内容として１Ｗ、３Ｗ、5Ｗ、３Ｉ、４Ｉ、５Ｉ、６Ｉ、７Ｉ、８Ｉ、９Ｉ、User1、User2、User3を備える。初期値は１Ｗに設定している。「画面セレクト」は、測定結果の画面表示を「ヘッドスピード」「ボールスピード」「推定飛距離」「すべて」の中から選択して設定するものである。「速度単位選択」は、ヘッドスピードとボールスピードの速度表示単位を「ｍ／ｓ」（メートル毎秒）と「ｍｐｈ」（マイル毎時）から選択して設定するものである。「ナイスショット基準値」は、ナイスショット判定のミート率の値であるナイスショット基準値を変更するものであり、その値は１．２０〜１．５０の範囲から０．０１単位で設定できる。「基準クラブ選択」は、「クラブ種選択」のUser1、User2、User3に割り当てるクラブを、ウッド（１Ｗ，３Ｗ，５Ｗ）、アイアン（３Ｉ〜９Ｉ，Ｗ）から選択して設定するものである。「クラブ係数編集」は、「基準クラブ選択」のUser1、User2、User3に割り当てたクラブの飛距離係数（パーセント）を変更するためのものである。この飛距離係数は、５０％から１５０％の範囲で１％単位に設定可能としている。
【００７１】
短距離走モードの設定メニューでは、短距離走モードの状態で右ボタンの押下が検出された場合に、設定処理を行う。短距離走モードの設定メニューは、設定項目として「１回／連続」「競技距離」「表示形式」「グラフ横軸項目」「横軸幅（距離）」「横軸（時間）」「縦軸表示幅」「最高速度保持条件」「記録表示（ＳＤ）」「記録保存（ＳＤ）」「自動保存（ＳＤ）」を備える。「１回／連続」「記録保存（ＳＤ）」の各設定項目の内容及び処理内容は、ピッチングモードと同様であるが、短距離走モードの設定値として記憶する点が異なる。「競技距離」は、本体の検出範囲（人が走る距離）を設定する項目であり、「なし」「２０ｍ」「３０ｍ」「４０ｍ」「５０ｍ」「６０ｍ」「７０ｍ」「８０ｍ」「９０ｍ」「１００ｍ」「１１０ｍ」「１２０ｍ」から選択可能としている。初期値は１００ｍに設定しており、「なし」が選択された場合には最大２００ｍまで検出する。「表示形式」は、表示部１４に検出結果を表示する際に「数値表示」を行うか「グラフ表示」を行うかを選択する項目であり、初期値は「グラフ表示」に設定している。「グラフ横軸項目」は、グラフ表示する際、横軸を「時間（秒）」とするか「距離（メートル）」とするかを選択する項目であり、初期値は「距離（メートル）」に設定している。「横軸幅（距離）」は、グラフ表示横軸（距離表示範囲）を選択する項目であり、「０〜５０ｍ」「０〜１００ｍ」「０〜２００ｍ」から選択可能としている。初期値は「０〜１００ｍ」に設定している。「横軸（時間）」は、グラフ表示横軸（時間表示範囲）を選択する項目であり、「０〜１０秒」「０〜２０秒」「０〜４０秒」から選択可能としている。初期値は「０〜２０秒」に設定している。「縦軸表示幅」は、グラフ表示縦軸（速度表示範囲）を選択する項目であり、「１０ｋｍ／ｈ」「２０ｋｍ／ｈ」「４０ｋｍ／ｈ」から選択可能としている。初期値は「４０ｋｍ／ｈ」に設定している。「最高速度保持条件」は、検出した最高速度から、何ｋｍ／ｈの減速検出までを最高速度保持とするかを設定するものであり、「−１ｋｍ／ｈ」「−２ｋｍ／ｈ」「−３ｋｍ／ｈ」「−４ｋｍ／ｈ」「−５ｋｍ／ｈ」「−６ｋｍ／ｈ」「−７ｋｍ／ｈ」「−８ｋｍ／ｈ」「−９ｋｍ／ｈ」「−１０ｋｍ／ｈ」から選択可能としている。初期値は「−２ｋｍ／ｈ」に設定している。「記録表示（ＳＤ）」は、microSDカード５０に保存した検出結果を表示部１４に表示させる項目である。表示部１４には、記録ナンバーを表示しており、この記録ナンバーは上ボタンまたは下ボタンの押下でインクリメントないしデクリメントさせる。セットボタンの押下が検出されたときに表示している記録ナンバーのデータを表示させる処理を行う。「自動保存（ＳＤ）」は、「有効」「無効」の項目からなり、「有効」が選択された場合、本体に検出結果を記録した際に同時にmicroSDカード５０にも記録する処理を行う。初期値は「有効」に設定している。
【００７２】
汎用モードの設定メニューでは、汎用モードの状態で右ボタンの押下が検出された場合に、設定処理を行う。汎用モードの設定メニューは、設定項目として「縦軸表示幅」「記録表示（ＳＤ）」「記録保存（ＳＤ）」「自動保存（ＳＤ）」「斜め方向補正」を備える。「記録表示（ＳＤ）」「記録保存（ＳＤ）」「自動保存（ＳＤ）」の各設定項目の内容及び処理内容は、短距離走モードと同様であり、「斜め方向補正」の設定項目の内容及び処理内容は、ピッチングモードと同様であるが、汎用モードの設定値として記憶する点が異なる。「縦軸表示幅」は、グラフ表示縦軸（速度表示範囲）を選択する項目であり、「１００ｋｍ／ｈ」「２００ｋｍ／ｈ」「４００ｋｍ／ｈ」から選択可能としている。初期値は「２００ｋｍ／ｈ」に設定している。
【００７３】
次に、各モードにおける処理等について説明する。まずピッチングモードについて説明する。ピッチングモードでは、野球やソフトボール、サッカー、テニス、バレーボール、ハンドボールなどの球技種目において、ボールの初速度（初速）、ボールの終速度（終速）、初速終速間距離（区間）を速度測定装置本体１０に表示し、子機３０へ送信する。前述のように子機３０は初速度のみを表示する。区間の表示は、初速度と終速度を検出した地点間の距離である。野球やソフトボールの投球の場合、図１０に示すように、捕手の斜め後方、または投手の斜め後方に本体１０を設置する。安定した検出を行うために、机などの台やカメラ用三脚を使用した設置を行うとよい。投手または捕手から速度測定装置本体１０までの距離は、約３０ｍ以内に設置し、捕手や投手の陰にならない場所に設置する。終速度をより正確に検出させたい場合は、投手の斜め後方に設置すると、捕手（ボールの最終地点）が見通せるためよい。
【００７４】
具体的な処理としては、図１１に示すように、制御部１３は、ピッチングモードが選択された後、スタート・ストップボタン１７ｂの押下を検出すると、ピッチングモードの測定処理を開始する。ピッチングモードの測定処理では、ボールの速度の範囲内にある時間を一単位として測定を行い、一単位の期間内で求めた測定結果を表示する。例えば、アンプ１２から出力されるドップラー信号を周波数解析して繰り返し速度を算出し、繰り返し算出した速度をＲＡＭに記録し、その記録した速度の履歴に基づいて、当該一単位における表示対象となる表示用情報（測定結果）を生成するようにする。測定結果は、図１１に示すように、ボールの初速度（初速）、ボールの終速度（終速）、初速終速間距離（区間）である。初速は、最初に移動物として検出した球速を表示する。終速は、移動物として検出できなくなった直前の球速を表示する。区間は、初速度と終速度を検出した距離間を表示する。速度を検出した区間が短い場合など、瞬間の速度しか検出できないときは「０」や「- - -」で区間表示をする。一単位の測定を行うたびに、求めたこれらの値をシステム設定で設定された時間（初期値は３秒）、点滅表示させ、この一定時間経過後、求めたこれらの値の表示を点滅から点灯に変えて、検出結果が更新されたことを知らせる。なお、速度表示の点滅時間（初期値：３秒）は、システム設定にて、変更することができる。検出結果は、記録ナンバーとともに速度測定装置本体１０の制御部１３の不揮発性メモリに２００件まで記録する。したがって、電池を取り外したり、電池が消耗しても検出結果の記録は消去されない。その後、制御部１３に設定・記憶されている検出方法が「１回」であるか「連続」であるかを判定し、「１回」の場合には、測定処理を終了し、現在表示中の画面を表示した状態とする一方、連続の場合には、再度ピッチングモードの測定処理を行う（すなわち、次の一単位の計測を開始する）。これらの処理中には、スタート・ストップボタン１７ｂの押下が検出されたかを検出し、スタート・ストップボタン１７ｂの押下が検出された場合には、測定処理を終了し、現在表示中の画面を表示した状態とする。このように本体に記録された検出結果は前述した設定メニューの「記録保存（ＳＤ）」にてmicroSD カード５０に保存することができる。microSD カード５０には、上述した最大２００件までの検出結果を１つのファイルとして、１００ファイルまで保存でき、その保存ファイル名は順に「mst1b100.m1d」〜「mst1b199.m1d」とする。ファイル形式は、一単位（１件）の測定結果を１行として、初速、終速、区間の順にそれぞれの値の間をカンマで区切ったＣＳＶ形式（テキスト形式）としている。
【００７５】
次にバッティングモードについて説明する。バッティングモードでは、野球やソフトボールおけるバットスイング速度、打球の初速度、打球の推定飛距離を本体１０の表示部１４に表示し、子機３０へ送信して、子機３０は、バットスイング速度を表示する。図１２（ａ）に示すように、速度測定装置本体１０を捕手の斜め後方（打者の反対側）からバットスイング位置に向けて設置する安定した検出を行うために、机などの台やカメラ用三脚を使用した設置することが望ましい。打者から速度測定装置本体１０の距離は、約５ｍ以内に設置し、捕手の陰にならない場所に設置する。
【００７６】
具体的な処理としては、図１２（ｂ）に示すように、制御部１３は、バッティングモードが選択された後、スタート・ストップボタン１７ｂの押下を検出すると、バッティングモードの測定処理を開始する。バッティングモードの測定処理では、バットの打撃動作の速度の範囲内にある時間を一単位として測定を行い、一単位の期間内で求めた測定結果を表示する。測定結果は、図１２（ｂ）に示すように、バットスイング速度（バット）、打球の初速度（打球）、打球の推定飛距離（飛距離）である。飛距離表示は、「打球の角度：４５度」、「打点の高さ：１ｍ」の条件で、打球の速度から目安とする飛距離を算出する。なお、飛距離は、センター方向への打球を基準にしており、一塁方向や三塁方向への打球は、誤差が大きくなる場合がある。バットスイング速度（バット）、打球の初速度（打球）は、例えば公知の方法で算出する。打球の初速度（打球）が検出されない場合には、打球の初速度（打球）、打球の推定飛距離（飛距離）は表示しない。したがって、図１２（ｃ）に示すように、打者の動作条件により、検出結果の表示内容は次のように異なる。すなわち、球を打ち返したときやノックしたときには、バットスイング速度（バット）、打球の初速度（打球）、打球の推定飛距離（飛距離）が測定され、表示される。球を空振りしたときや素振りしたときには、バットスイング速度（バット）が測定され、表示される。一単位の測定を行うたびに、求めたこれらの値をシステム設定で設定された時間（初期値は３秒）、点滅表示させ、この一定時間経過後、求めたこれらの値の表示を点滅から点灯に変えて、検出結果が更新されたことを知らせる。なお、速度表示の点滅時間（初期値：３秒）は、システム設定にて、変更することができる。検出結果は、記録ナンバーとともに本体１０の制御部１３の不揮発性メモリに２００件まで記録する。したがって、電池を取り外したり、電池が消耗しても検出結果の記録は消去されない。その後、制御部１３に設定・記憶されている検出方法が「１回」であるか「連続」であるかを判定し、「１回」の場合には、測定処理を終了し、現在表示中の画面を表示した状態とする一方、連続の場合には、再度バッティングモードの測定処理を行う（すなわち、次の一単位の計測を開始する）。これらの処理中には、スタート・ストップボタン１７ｂの押下が検出されたかを検出し、スタート・ストップボタン１７ｂの押下が検出された場合には、測定処理を終了し、現在表示中の画面を表示した状態とする。このように本体に記録された検出結果は前述した設定メニューの「記録保存（ＳＤ）」にてmicroSD カード５０に保存することができる。microSD カード５０には、上述した最大２００件までの検出結果を１つのファイルとして、１００ファイルまで保存でき、その保存ファイル名は順に「mst1b200.m1d」〜「mst1b299.m1d」とする。ファイル形式は、一単位（１件）の測定結果を１行として、バットスイング速度（バット）、打球の初速度（打球）、打球の推定飛距離（飛距離）の順にそれぞれの値の間をカンマで区切ったＣＳＶ形式（テキスト形式）としている。
【００７７】
次にゴルフモードについて図１３〜図１５を参照して説明する。ゴルフモードでは、ゴルフクラブスイングにおけるヘッドスピード、ボールスピード、推定飛距離、ミート率を速度測定装置本体１０の表示部１４に表示する。
【００７８】
具体的な処理としては、図１３に示すように、ゴルフモードが選択された後、制御部１３は、速度測定装置本体１０の右ボタンの押下が検出されたかを判定し、右ボタンの押下が検出された場合には、設定メニューの処理へ移行する。右ボタンの押下が検出されない場合には、スタート・ストップボタン１７ｂの押下が検出されたかを判定する。スタート・ストップボタン１７ｂの押下を検出すると、ゴルフモードの測定処理を開始する。スタート・ストップボタン１７ｂの押下が検出されない場合には、右ボタンの押下の検出判定へと戻る。
【００７９】
なお、図１３上段に示すように、ゴルフモードでの表示部１４への表示は他のモード（マイクロ波ドップラーセンサ１１側が画面の上側となる）とは異なりマイクロ波ドップラーセンサ１１側が画面の下側になるよう、画面の上下を反転して表示する処理を行う。このように、ゴルフモードでは、他のモードとは画面の表示方向を異なる方向としている。ゴルフモードの測定の際には、他のモードの測定の場合とは異なり、測定者自らが測定対象者または測定対象物を動かす者となり、かつ、測定結果を見る者にもなる場合には、マイクロ波ドップラーセンサ１１の出射方向側から測定結果を見ることとなるが、このようにすることで、それぞれのモードにおいて、測定結果の表示が見やすく、複数の異なるスポーツに関する速度を測定する際に使い勝手のよい速度測定装置を実現することができる。
【００８０】
設定メニューの処理では、設定メニューを表示し、速度測定装置本体１０の上ボタン、下ボタンの押下を検出して、設定メニュー中の選択項目である「クラブ種選択」が選択された状態で右ボタンが押下されたかを検出する。クラブ種選択」を選択された状態で右ボタンが押下された場合には、クラブ種選択メニューを表示する。クラブ種選択メニューは、上から下へ順に１Ｗ、３Ｗ、5 Ｗ、３Ｉ、４Ｉ、５Ｉ、６Ｉ、７Ｉ、８Ｉ、 ９Ｉ、User1、User2、User3の選択項目を表示し、上ボタン・下ボタンの押下を検出して、これらの選択項目の中から選択中のクラブを反転表示させる。セットボタンの押下が検出された場合には、選択中のクラブを選択されたクラブとして設定し（制御部１３の不揮発性メモリに記憶する）、前述したゴルフモードが選択された後の処理へ戻る。なお、クラブ種の初期値は１Ｗとしている。
【００８１】
ユーザは、スタート・ストップボタン１７ｂの押下後、図１３に示すように、ボールを打ち出す方向へ、速度測定装置本体１０のマイクロ波ドップラーセンサ１１が向くように設置する。速度測定装置本体１０は、起伏のない平坦な場所に置き、速度測定装置本体１０とボールの間に障害物がないように設置する。
【００８２】
ゴルフモードの測定処理では、ゴルフクラブのスイング動作の速度の範囲内にある時間を一単位として測定を行い、一単位の期間内で求めた測定結果を表示する。測定結果の表示は、設定メニューの「画面セレクト」の設定で「ヘッドスピード／ボールスピード／ミート率／推定飛距離／すべて」の項目の中から選択しておき、その選択された内容で行う。なお、初期値は、「ヘッドスピード」に設定している。図１３下段に示すように、「ヘッドスピード」に設定されている場合にはヘッドスピードを表示し、「ボールスピード」が表示されている場合には、ボールスピードを表示し、「ミート率」が表示されている場合には、ミート率を表示し、「推定飛距離」に設定されている場合には図１４（ａ）に示すように推定飛距離を表示し、「すべて」に設定されている場合には図１４（ｂ）に示すようにヘッドスピードとボールスピードとミート率と推定飛距離をすべて表示する。図１３下段及び図１４（ａ）左側に示すように「ヘッドスピード／ボールスピード／ミート率／推定飛距離」のうちいずれか１つのみを表示させる場合には、図１４（ａ）右側に示すようにヘッドスピードとボールスピードとミート率と推定飛距離をすべて表示する場合に比べ、「ヘッドスピード／ボールスピード／ミート率／推定飛距離」のうち表示対象として設定されているものを大きく表示させるようにしている。ゴルフモードでは、他のモードの測定の場合とは異なり、測定者自らが測定対象物であるゴルフクラブをスイングする者となり、かつ、測定結果を見る者にもなるため、速度測定装置本体１０から離れて測定結果を見ることとなるが、「ヘッドスピード／ボールスピード／ミート率／推定飛距離」のうちいずれか１つのみを表示させる場合には、大きく１つの測定結果のみが表示されるため、見やすい。一方、他のモードでは、複数の情報を同時に把握することが可能となる。なお、ヘッドスピード、ボールスピード、ミート率、推定飛距離は、例えば特開２０１０−００５２８９号公報に記載の方法で測定・算出するとよい。ミート率は、「ボールスピード÷ヘッドスピード」で算出する。推定飛距離は、ボールスピードを検出できた場合は、ボールスピードから算出する。素振りした場合、弾道が高い球（番手の大きなアイアンなどで打った球）など、ボールスピードを検出できなかった場合、ヘッドスピードから算出する。ボールスピードはヘッドとボールの反発係数が加味されているため、ヘッドスピードからの推定飛距離と比較して、より正確な数値が算出できる。推定飛距離を算出するためのロフト角は、例えば図１５に示すようにクラブ種別に設定しておき、この設定された値を用いて推定飛距離を算出するとよい。また、求めたミート率が１．４０（初期値）以上である場合には、図１４（ｃ）に示すようにナイスショット表示を行う。なお。ミート率の値（＝ナイスショット基準値）は、前述のように設定メニューで変更することができる。一単位の測定を行うたびに、求めたこれらの値をシステム設定で設定された時間（初期値は３秒）、点滅表示させ、この一定時間経過後、求めたこれらの値の表示を点滅から点灯に変えて、検出結果が更新されたことを知らせる。なお、点滅時間（初期値：３秒）は、シス���ム設定にて、変更することができる。検出結果のヘッドスピード、ボールスピード、推定飛距離、ミート率は、クラブ種及び記録ナンバーとともに本体１０の制御部１３の不揮発性メモリに５００件まで記録する。したがって、電池を取り外したり、電池が消耗しても検出結果の記録は消去されない。ナイスショット表示は、検出結果を点滅表示している間、表示する。これらの処理が完了すると、再度ゴルフモードの測定処理を行う（すなわち、次の一単位の計測を開始する）。測定結果が得られてから、一定の時間経過してから（測定禁止期間を挟んで）次の測定に移るようにしてもよい。これらの処理中には、スタート・ストップボタン１７ｂの押下が検出されたかを検出し、スタート・ストップボタン１７ｂの押下が検出された場合には、測定処理を終了し、現在表示中の画面を表示した状態とする。このように本体に記録された検出結果は前述した設定メニューの「記録保存（ＳＤ）」にてmicroSD カード５０に保存することができる。microSD カード５０には、上述した最大５００件までの検出結果を１つのファイルとして、１００ファイルまで保存でき、その保存ファイル名は順に「mst1g00.m1d」〜「mst1g99.m1d」とする。ファイル形式は、一単位（１件）の測定結果を１行として、ヘッドスピード、ボールスピード、推定飛距離、ミート率、クラブ種の順にそれぞれの値の間をカンマで区切ったＣＳＶ形式（テキスト形式）としている。
【００８３】
次に短距離走モードについて説明する。短距離走モードでは、１００ｍ走などで人が走る速度を数値やグラフで速度測定装置本体１０の表示部１４に表示し、子機３０へ送信する。子機３０は、最高速度を表示（小数点以下は、四捨五入）する。走るコースが直線であること、他に走者がいない条件で使用するようにする。本機では約２０〜１２０ｍの直線距離を走る速度表示が可能である。
【００８４】
図１６（ａ）に示すように、速度測定装置本体１０を、スタート位置の真後ろ約３〜５ｍ程度の位置に設置し、マイクロ波ドップラーセンサ１１（センサー部）を走者の背中辺りに向ける。安定した検出を行うために、机などの台やカメラ用三脚を使用した設置をすることが望ましい。
【００８５】
具体的な処理としては、図１６（ｂ）に示すように、制御部１３は、短距離走モードが選択された後、スタート・ストップボタン１７ｂの押下を検出すると、短距離走モードの測定処理を開始する。短距離走モードの測定処理では、最初に速度が検出されてから、検出した速度と時間の経過に基づいて距離を積算して求め、距離が設定メニューで設定された距離（２０〜１２０ｍの範囲か１０ｍ単位で設定できる。初期値は１００ｍとしている。）に達したら測定を終了するという動作を一単位として測定を行う。表示形式は、設定メニューで「グラフ表示」と「数値表示」のどちらを行うかを設定しておき、設定された表示形式での表示を行う。「グラフ表示」に設定されている場合には、図１６（ｃ）左側に示すように、一単位中に測定された最高速度と、１単位中に随時測定された速度を縦軸、設定メニューの「グラフ横軸項目」での設定（「時間（ｓ）」か「距離（ｍ）」であり、初期値は「時間」としている）に応じたものを横軸としてグラフを表示する。縦軸は、「速度（ｋｍ／ｈ）」で表示し、本体の上ボタン・下ボタンの押下が検出されると、縦軸（速度）の表示範囲をスクロール表示させる。「数値表示」に設定されている場合には、図１６（ｃ）右側に示すように、「最高速」、「Ａ時間」と「Ａ距離」と「Ｂ時間」と「Ｂ距離」を表示する。「最高速」には、一単位中で求めた最高速度を表示する。「Ａ時間」には、最高速度に達するまでに要した時間を表示する。「Ａ距離」には、最高速度に達するまでに要した距離を表示する。「Ｂ時間」には、最高速度が保持されていた時間（最高速度から、設定メニューで設定された最高速度保持条件分（初期値２ｋｍ／ｈ）の減速を検出するまでの時間）を表示する。「Ｂ距離」は、最高速度保持距離（最高速度から、設定メニューで設定された最高速度保持条件分（初期値２ｋｍ／ｈ）の減速を検出するまでの距離）を表示する。これらの検出結果は、最新の１件のみ本体１０の制御部１３の不揮発性メモリに記録する。したがって、電池を取り外したり、電池が消耗しても検出結果の記録は消去されない。本体に記録された検出結果はmicroSD カード５０に自動的に保存する。microSD カード５０には、最大５００件までの検出結果を１つのファイルとして保存する。その保存ファイル名は「mst1sp.m1d」とする。このファイル形式は、一単位（１件）の検出結果の値（測定された速度値）の個数をまず１行に記録し、次の行から検出結果（速度）をその個数分の行に記録するという単位を、測定開始からの件数分繰り返して記録する形式としている。その後、制御部１３に設定・記憶されている検出方法が「１回」であるか「連続」であるかを判定し、「１回」の場合には、測定処理を終了し、現在表示中の画面を表示した状態とする一方、連続の場合には、再度短距離走モードの測定処理を行う（すなわち、次の一単位の計測を開始する）。これらの処理中には、スタート・ストップボタン１７ｂの押下が検出されたかを検出し、スタート・ストップボタン１７ｂの押下が検出された場合には、測定処理を終了し、現在表示中の画面を表示した状態とする。
【００８６】
このように、短距離走モードにおいては、表示用情報として一単位における速度の履歴を時系列に並べたグラフも生成され、当該一単位におけるグラフが表示される。
【００８７】
次に汎用モードについて説明する。汎用モードでは、自動車・二輪車の走行速度（モータースポーツ）やスキー・スノーボードの滑走などの速度を数値やグラフで速度測定装置本体１０の表示部１４に表示し、子機３０へ送信する。子機３０は、受信した直近５秒間における最高速度を表示部３４に表示する。
【００８８】
図１７（ａ）に示すように、速度測定装置本体１０を、移動する物体（自動車など）の前方または後方から、速度測定装置本体１０のマイクロ波ドップラーセンサ１１（センサー部）を向けて設置する。安定した検出を行うために、机などの台やカメラ用三脚を使用した設置をすることが望ましい。
【００８９】
具体的な処理としては、図１７（ｂ）に示すように、制御部１３は、汎用モードが選択された後、スタート・ストップボタン１７ｂの押下を検出すると、汎用モードの測定処理を開始する。汎用モードの測定処理では、随時（５００ｍｓ毎）速度を検出して、図１７（ｂ）に示すように、最新の検出速度と、測定処理の開始から現在までの検出速度の中の最高速度と、グラフとを表示する。グラフの表示は、随時測定された速度を縦軸、設定メニューの「グラフ横軸項目」での設定（「時間（ｓ）」か「距離（ｍ）」であり、初期値は「時間」としている）に応じたものを横軸として行う。縦軸は、「速度（ｋｍ／ｈ）」で表示し、速度測定装置本体１０の上ボタン・下ボタンの押下が検出されると、縦軸（速度）の表示範囲をスクロール表示させる。速度の表示が横軸の右端まで達した場合には、最新の検出速度を右端として過去５０秒分の検出速度が表示されるように、グラフをスクロール表示させる。これらの検出結果は、随時、本体１０の制御部１３の不揮発性メモリに記録する。したがって、電池を取り外したり、電池が消耗しても検出結果の記録は消去されない。本体に記録された検出結果をmicroSD カード５０に自動的に保存する。microSD カード５０には、最大５００件までの検出結果を１つのファイルとして保存する。その保存ファイル名は「mst1cr.m1d」とする。このファイル形式は、一単位（１件）の検出結果の値（測定された速度値）の個数をまず１行に記録し、次の行から検出結果（速度）をその個数分の行に記録するという単位を、測定開始からの件数分繰り返して記録する形式としている。これらの処理中には、スタート・ストップボタン１７ｂの押下が検出されたかを検出し、スタート・ストップボタン１７ｂの押下が検出された場合には、測定処理を終了し、現在表示中の画面を表示した状態とする。このように汎用モードでは、他のモードとは異なり１単位毎の測定を行わず、連続的な測定を行う。
【００９０】
このように汎用モードでは、表示用情報として瞬間速度の履歴を時系列に並べたグラフを生成し、最新の所定件数（過去５０秒分に相当する件数）の瞬間速度の履歴のグラフを表示する。
【００９１】
以上説明したように、本実施形態の速度測定装置の本体１０は、マイクロ波ドップラーセンサ１１と、そのマイクロ波ドップラーセンサ１１から出力されるドップラー信号を増幅するアンプ１２と、アンプ１２から出力されるドップラー信号に基づいて速度を検出し、当該速度に基づいて表示用情報を生成して表示部１４に表示させる制御部１３とを備えるスポーツ用の速度測定装置であり、制御部１３は、測定対象のスポーツにおける所定の一動作単位（一単位）における表示用情報を生成する専用処理（ピッチングモードの処理、バッティングモードの処理、ゴルフモードの処理、短距離走モードの処理）と、これらの所定のスポーツには特化せずに、所定の時間間隔で繰り返し求めた瞬間速度を表示用情報として生成する処理である汎用処理（汎用モードの処理）と、ユーザからの切替指示に基づいて前記専用処理手段と前記汎用処理手段とを切り替える切替手段とを備える。ユーザからの操作部１４からの切替指示に基づいて専用処理と汎用処理とを切り替える切替処理（メインメニューの処理）とを行う。
【００９２】
このようにして、ユーザは、必要に応じて、測定対象のスポーツにおける所定の一動作単位における表示用情報が表示される専用モード（ピッチングモード、バッティングモード、ゴルフモード、短距離走モード）と、所定の時間間隔で繰り返し求められた瞬間速度が表示される汎用モードとを切り替えて利用できる。したがって、複数の異なるスポーツに関する速度を測定するのに適した速度測定装置となる。
【００９３】
なお、各専用処理において、マイクロ波ドップラーセンサ１１から出力されるドップラー信号に基づいて表示用情報（測定結果）を生成する処理としては、例えば、一単位の間、アンプ１２から出力されるドップラー信号を周波数解析して繰り返し速度を算出し、繰り返し算出した速度をＲＡＭに記録し、その記録した速度の履歴に基づいて、当該一単位における表示対象となる表示用情報を生成するようにするとよい。
【００９４】
汎用処理では、所定の時間間隔で繰り返し求めた瞬間速度を表示用情報（測定結果）として生成するので、専用処理とは異なり、測定対象のスポーツにおける所定の一動作単位にはとらわれず、連続して瞬間速度が表示用情報として表示される。汎用処理は、特定のスポーツに特化しない処理によって表示用情報を生成するようにしており、生成する表示用情報も特定のスポーツに特化しない情報としている。所定の時間間隔は、各種のスポーツで共通して測定するのに適した時間間隔としている。
【００９５】
各専用処理においては、測定対象のスポーツにおける所定の一動作単位の開始と終了を、ドップラー信号に基づいて特定するようにしたので、別のセンサを設けて所定の一動作単位の開始と終了を特定する必要がなくコストを抑えることができる。
【００９６】
汎用処理では、ユーザからの開始指示が入力されてから終了指示を入力するまで、所定の時間間隔で繰り返し求めた瞬間速度を表示用情報として生成して表示させるようにしたので、各種のスポーツに応じたユーザの意図に沿った範囲の速度を汎用的に測定することができる。
【００９７】
なお、図１８に示すように、本体の設置状況によっては、表示用情報（測定結果）の誤差を生じるので、「斜め方向補正」メニューで設定された角度を用いて、表示用情報の角度誤差を補正して表示する。
次に、パソコン１１０における記録解析ソフトの動作について説明する。
【００９８】
パソコン１１０は、ＣＰＵ，ＲＯＭ，ＲＡＭ，Ｉ／Ｏ，ハードディスク等の大容量外部記録装置等を備える一般的なパソコンである。パソコン１１０は、ＣＰＵがＲＯＭに記憶されたプログラム（ブートストラップローダー）により、ハードディスクからＲＡＭ上に読み出して実行されるプログラムであるオペレーティングシステム（具体的にはMS-Windows（登録商標））の処理によって、各種のアプリケーションプログラム（アプリケーションソフト）はハードディスクから読み込まれ、実行される。記録解析ソフトは、このようなアプリケーションプログラムとして構成され、ＣＰＵが実行することにより、カードリーダライタ１３０を制御して、速度測定装置によってmicroSDカード５０に記録されたファイルを読み出し、ディスプレイ１２０にグラフや表として表示する機能を有する。以下、ユーザからの指示は、パソコン１１０に接続されたマウスまたはキーボードから入力する処理によって取得するものであり、表示はディスプレイ１２０へ行うものである。そして、ボタンの押下とは、ディスプレイ１２０へ描画したボタンの位置でのマウスのボタン押下、またはキーボードによる当該ボタンの選択後のEnterキー等の押下を示す。
【００９９】
ユーザは、オペレーティングシステムが起動したら、デスクトップ上にある本記録解析ソフトのアイコンをマウスによってダブルクリックすると、本記録解析ソフトが起動する。本記録解析ソフトのインストール後、初回の起動時には、図１９に示すように、初期設定確認ダイアログを表示する。ユーザからの「はい（Ｙ）」の選択が検出された場合、デフォルトで設定している標準のフォルダを、データ保存用フォルダとして、ハードディスク上に作成し、このフォルダをデータ保存フォルダとして設定ファイルに記録する。一方、ユーザからの「いいえ（Ｎ）」の選択が検出された場合、「フォルダの参照」ダイアログを表示し、データ保存用フォルダを選択させる。ユーザは、ハードディスク、その他パソコン１１０に接続された記録媒体等、任意の場所にデータフォルダを作成することができ、このフォルダをデータ保存フォルダとして設定ファイルに記録する。
【０１００】
初回起動時以外の起動直後、及び、初期設定確認ダイアログでデータ保存用フォルダを設定する処理を行った後、図２０に示すメインメニュー２００を表示する。メインメニュー２００は、左から順に、データ表示ボタン領域２１０、データ読み込みボタン２２０、データ編集ボタン２３０、ＰＣモニターボタン２４０、設定ボタン２５０、ヘルプボタン２６０を備え、データ表示ボタン領域２１０には、ピッチングデータ表示ボタン２１１、バッティングデータ表示ボタン２１２、ゴルフデータ表示ボタン２１３、短距離走データ表示ボタン２１４、汎用データ表示ボタン２１５を備える。データ表示ボタン領域２１０の各ボタンは、下部にそのモードの名称を文字列で示した文字列表示領域を備え、上部にそのモードを示す絵柄のアイコンを示したアイコン表示領域を備える。
【０１０１】
ピッチングデータ表示ボタン２１１の押下が検出された場合には、ピッチングの記録表示ウインドウを表示させ、バッティングデータ表示ボタン２１２の押下が検出された場合には、バッティングの記録表示ウインドウを表示させ、ゴルフデータ表示ボタン２１３の押下が検出された場合には、ゴルフの記録表示ウインドウを表示させ、短距離走データ表示ボタン２１４の押下が検出された場合には、短距離走の記録表示ウインドウを表示させ、汎用データ表示ボタン２１５の押下が検出された場合には、汎用の記録表示ウインドウを表示させる。このようにして、データ表示ボタン領域２１０は選択手段に相当し、「ピッチング」「バッティング」「ゴルフ」「短距離走」「汎用」の５つの検出モードの中から、測定結果をグラフ等で表示させたいものを選択することができる。
【０１０２】
本記録解析ソフトの記録表示ウインドウでデータを見るには、microSDカード５０に保存されているデータをデータ読込みボタン２２０を押下してデータ保存フォルダに読込ませる必要がある。
【０１０３】
データ読み込みボタン２２０の押下が検出された場合には、図２１に示すように、フォルダの参照ダイアログを表示させる。データが記録されたmicroSDカード５０をカードリーダライタ１３０にセットし、そのドライブもしくはフォルダをマウスまたはキーボード操作により選択する。ＯＫボタンの押下を検出すると、現在選択されているドライブまたはフォルダから前述した各ファイル名のファイルのデータを読込んで、データ保存フォルダに保存した後、このダイアログを消去し、図２２（ａ）に示すデータ読込ダイアログを表示させる。一方、キャンセルボタンの押下を検出した場合、ファイルの読み込みを行わずにこのダイアログを消去する。
【０１０４】
データ読込ダイアログは、左側の上から順に、読み込み元表示部、日付設定プルダウンメニュー、読み込み元データ削除チェックボックス、右側に実行ボタンを備える。読み込み元表示部には、選択されたドライブのmst1フォルダまたは、選択されたフォルダを「読み込み元」として表示する。日付設定プルダウンメニューは、押下するとカレンダーが表示され、カレンダーの中からデータを記録した日付を選択することができる。図２２（ａ）の例では、データを記録した日付として「2010/04/15」を選択した結果を表示している。読み込み元データ削除チェックボックスは、チェックボックスにチェックを入れると、データを読み込んだ後に、元データ（microSDカード５０内のデータ）を削除する。元データを削除した場合、 本ソフトでのみデータの確認ができ、速度測定装置本体１０ではデータの確認ができなくなる。実行ボタンの押下を検出すると、microSDカード５０からピッチングについてのファイルである「mst1b100.m1d」〜「mst1b199.m1d」を読み込んで、各ファイルの各行の先頭に日付と日付番号を追加したＣＳＶ形式で、ハードディスク内の所定のフォルダ内にファイル名mstrb1.mstのファイルに追記していく。同様に、microSDカード５０からバッティングについてのファイルである「mst1b200.m1d」〜「mst1b299.m1d」を読み込んで、各ファイルの各行の先頭に日付と日付番号を追加したＣＳＶ形式で、ハードディスク内の所定のフォルダ内にファイル名mstrb2.mstのファイルに追記していく。また同様に、microSDカード５０からゴルフについてのファイルである「mst1g00.m1d」〜「mst1g99.m1d」を読み込んで、各ファイルの各行の先頭に日付と日付番号を追加したＣＳＶ形式で、ハードディスク内の所定のフォルダ内にファイル名mstrgl.mstのファイルに追記していく。また同様に、microSDカード５０から短距離走についてのファイルである「mst1sp.m1d」、汎用に関するファイルである「mst1sp.m1d」をそれぞれ読み込んで、各ファイルの各行の先頭に日付と日付番号を追加した形式で、ハードディスク内の所定のフォルダ内にそれぞれファイル名mstrsp.mst 、mstrcr.mstのファイルに追記していく。なお、日付番号は同じ日付を指定したときに０〜９９まで自動的に振るようにしたものである。
【０１０５】
この読み込み中には、読み込みの進行状況を示す図２２（ｂ）に示したプログレスバーを有する読み込み中ダイアログを表示させ、読み込みが終了したら図２２（ｃ）に示す読み込み終了ダイアログを表示させる。
【０１０６】
データ編集ボタン２３０の押下が検出された場合には、図２３（ａ）に示すようなデータ編集ウインドウを表示する。データ編集ウインドウでは、データ読込をしたデータの編集（日付変更、削除）ができる。具体的には、（１）編集するデータが選択され、（２）「日付変更ボタン」を押下された場合、図２３（ｂ）に示すような前述したものと同様の日付設定プルダウンメニューを有する日付変更ダイアログを表示する。ここで、変更したい日付が選択されＯＫボタンを押下されると、日付変更ダイアログで設定された日付に、その選択された行の日付を変更する。また図２３（ａ）のウインドウにおいて「削除ボタン」が押下された場合、選択されている行を削除して表示する。そして、図２３（ａ）のウインドウに有する保存ボタンの押下が検出された場合、変更された状態のデータを当該ファイルとして保存（更新）する。
【０１０７】
なお、図２３（ａ）の表の「日付[No.]」は、「日付_日付No_ファイルNo [記録ナンバー] 」となっている。例えば図２３（ａ）の選択行（反転表示している行）の例では、 日付 ： 2010/04/15 日付No. ： 0 ファイルNo. ： 0 記録ナンバー ： 1 を表している。なお、日付No.は前述のとおりデータ読込時に日付が重複した場合に自動でつけられる番号である。編集されるデータは「データ保存フォルダ」のデータが対象となり、 保存（上書き）するともとには戻せない。保存したくない場合には終了ボタンを押下すればよい。終了ボタンの押下が検出された場合には、保存をせずにこのウインドウを閉じる。
【０１０８】
次にピッチングデータ表示ボタン２１１が押下された場合の処理について説明する。ピッチングデータ表示ボタン２１１が押下された場合、ピッチングのデータ表示ウインドウを表示させる。図２４に示すようにピッチングのデータ表示ウインドウ３００は、このウインドウがいずれのデータを表示するものであるかを示すモード名表示欄３１０と、データを表形式で表示する表３３０と、データをグラフ形式で表示するグラフ３４０と、表３３０及びグラフ３４０に表示するデータの日付範囲を設定するための日付範囲設定ボタン３２０と、全表示ボタン３４５と、表３３０のデータを日付順に集計して表示するための日付順表示ボタン３５０を備える。グラフ３４０の縦軸・横軸の数値の辺りをマウスでドラッグされたことが検出された場合、グラフ３４０のスケールの拡大・縮小処理を行う。全表示ボタン３４５の押下が検出された場合には拡大・縮小したスケールを元に戻す処理を行う。このようなウインドウの構成は、バッティングのデータ表示ウインドウ、ゴルフのデータ表示ウインドウ、短距離走のデータ表示ウインドウ、汎用のデータ表示ウインドウでも同様の配置構成としている。このようにモード間で配置構成を略同一とすることで、現在表示されているグラフが、どのスポーツのものであるかが容易に分かる。また、複数の種類のスポーツのグラフの表示画面において、グラフと表の配置が略同一であるから、見た目の統一感がある。したがって、手間がかからず、使い勝手がよい。
【０１０９】
モード名表示欄３１０には「ピッチング」の文字列とこの文字列の左側にピッチングモードであることを示すボールの絵によるアイコンを表示している。この文字列は、データ表示ボタン領域２１０のピッチングデータ表示ボタン２１１の下部に備えた文字列表示領域の文字列と同一の「ピッチング」とし、このアイコンは、ピッチングデータ表示ボタン２１１の上部に備えたアイコン表示領域のアイコンの絵柄と相似のアイコンとしている。このようにすることで、どのモードのウインドウが表示されているかユーザは直感的に把握できる。このような表示形態は他のボタン及びウインドウでも同様に構成している。
【０１１０】
ピッチングモードの表３３０は、ハードディスクのファイル名mstrb1.mstのファイルから日付範囲設定ボタン３２０に表示されている範囲の日付が付加された行のデータを読み出して表示するものであり、表示項目としてその日付の付いた行の行番号である連番、初速、終速、区間、日付等を備える。
【０１１１】
ピッチングモードのグラフ３４０は、ハードディスクのファイル名mstrb1.mstのファイルから日付範囲設定ボタン３２０に表示されている範囲の日付が付加された行のデータを読み出して、その日付の付いた行の連番（番号）を横軸に、初速・終速の速度（左縦軸にスケール[km/h]を表示している）及び区間の距離（右縦軸にスケール[m]を表示している）を縦軸として、グラフを描画する。区間の距離の値は、点（■）として青色で描画し、初速と終速の点は結んで直線状のバーとして表示している。このバーは、初速を赤色、終速をオレンジ色として、初速から終速の位置に向かうにつれて、徐々に色が変化するグラデーション表示を行っている。これにより、初速と終速の差を容易に把握することができ、使い勝手がよくなる。
【０１１２】
日付範囲設定ボタン３２０には、現在設定されている日付範囲を表示している。図２４の例では、2010/04/15〜2010/04/15の１日分が現在設定されている日付範囲であり、この１日分のデータを、表３３０、グラフ３４０に表示している。
【０１１３】
日付範囲設定ボタン３２０の押下を検出すると、図２５に示す日付指定ダイアログを表示して、日付範囲の設定を、「１日」「１週間」「１ヶ月」「全て」または「期間を指定」表示したラジオボタンによって択一的に選択して、日付設定プルダウンメニューによって始期ないし終期を指定して、設定することができる。
【０１１４】
日付順表示ボタン３５０の押下を検出すると、図２６（ａ）に示すように、表３３０と、グラフ３４０とを、日付ごとに集計した値として表示する。ピッチングの表３３０には、「日付」と、その日付のデータの数である「カウント」と、その日付のデータの中の初速の最大値である「初速Ｍａｘ」、その日付のデータの中の初速の平均値である「初速Ａｖｅ」、その日付のデータの中の初速の最小値である「初速Ｍｉｎ」を表示する。ピッチングのグラフ３４０には、日付を横軸、初速の速度を縦軸として、初速Ｍａｘから初速Ｍｉｎの範囲を、ボックス上のバー（中抜きのバー）として表示し、初速Ａｖｅを点「■」として表示する。このように、日々の速度値を日付ごとに日付順に左から右へ並べて、バーとして表示することにより、日々の変化を容易に知ることができ、練習の成果を容易に確認することができる。例えば、図２６（ａ）の例では、2010/4/15の一日分の表示をしているが、図２６（ｂ）のように日付範囲の設定を2010/04/01〜2010/04/03として、３日分の測定結果の比較を行うことも容易にできる。
【０１１５】
次にバッティングデータ表示ボタン２１２が押下された場合の処理について説明する。バッティングデータ表示ボタン２１２が押下された場合の処理は、ピッチングデータ表示ボタン２１１が押下された場合の処理と略同様であり、読み込むファイルが、mstrb2.mstであること、表示させるウインドウが図２７に示すようなバッティングのデータ表示ウインドウであること等が異なる。具体的な処理としては、バッティングデータ表示ボタン２１２が押下された場合に、バッティングのデータ表示ウインドウ３００を表示させる。図２７に示すようにピッチングのデータ表示ウインドウ３００は、このウインドウがいずれのデータを表示するものであるかを示すモード名表示欄３１０と、データを表形式で表示する表３３０と、データをグラフ形式で表示するグラフ３４０と、表３３０及びグラフ３４０に表示するデータの日付範囲を設定するための日付範囲設定ボタン３２０と、表３３０のデータを日付順に集計して表示するための日付順表示ボタン３５０を備える。モード名表示欄３１０には「バッティング」の文字列とこの文字列の左側にバッティングモードであることを示すバットとボールの絵によるアイコンを表示している。
【０１１６】
バッティングモードの表３３０は、ハードディスクのファイル名mstrb2.mstのファイルから日付範囲設定ボタン３２０に表示されている範囲の日付が付加された行のデータを読み出して表示するものであり、表示項目としてその日付の付いた行の行番号である連番、バットスイング速度（バット）、打球の初速度（打球）、打球の推定飛距離（飛距離）、日付等を備える。
【０１１７】
グラフ３４０は、ハードディスクのファイル名mstrb2.mstのファイルから日付範囲設定ボタン３２０に表示されている範囲の日付が付加された行のデータを読み出して、その日付の付いた行の連番（番号）を横軸に、バットスイング速度（バット）、打球の初速度（打球）（左縦軸にスケール[km/h]を表示している）及び打球の推定飛距離（飛距離）（右縦軸にスケール[m]を表示している）を縦軸として、グラフを描画する。打球の推定飛距離（飛距離）の値は点（■）として青色で描画し、バットスイング速度（バット）の値は点（●）として赤色で描画し、打球の初速度（打球）の値は点（●）としてオレンジ色で描画して表示している。
【０１１８】
日付範囲設定ボタン３２０には、現在設定されている日付範囲を表示している。図２７の例では、2010/04/15〜2010/04/15の１日分が現在設定されている日付範囲であり、この１日分のデータを、表３３０、グラフ３４０に表示している。日付範囲設定ボタン３２０の押下を検出した際の処理は、ピッチングのデータ表示ウインドウにおける日付範囲設定ボタン３２０の押下検出時の処理と同様である。
【０１１９】
日付順表示ボタン３５０の押下を検出した場合、図２７（ｂ）に示すように、表３３０と、グラフ３４０とを、日付ごとに集計した値として表示する。表３３０には、「日付」と、その日付のデータの数である「カウント」と、その日付のデータの中のバットスイング速度（バット）の最大値である「バットＭａｘ」、その日付のデータの中のバットスイング速度（バット）の平均値である「バットＡｖｅ」、その日付のデータの中のバットスイング速度（バット）の最小値である「バットＭｉｎ」を表示する。グラフ３４０には、日付を横軸、初速の速度を縦軸として、バットＭａｘからバットＭｉｎの範囲を、ボックス上のバー（中抜きのバー）として表示し、バットＡｖｅを点「■」として表示する。このように、日々の速度値を日付ごとに日付順に左から右へ並べて、バーとして表示することにより、日々の変化を容易に知ることができ、練習の成果を容易に確認することができる。例えば、図２６（ｂ）の例では、2010/4/15の一日分の表示をしているが、日付範囲の設定を複数の日付としてそれらの日の測定結果間の比較を行うことも容易にできる。
【０１２０】
次にゴルフデータ表示ボタン２１３が押下された場合の処理について説明する。ゴルフデータ表示ボタン２１３が押下された場合の処理は、ピッチングデータ表示ボタン２１１が押下された場合の処理と略同様であり、読み込むファイルが、mstrgl.mstであること、表示させるウインドウが図２８に示すようなゴルフのデータ表示ウインドウであること等が異なる。具体的な処理としては、ゴルフデータ表示ボタン２１３が押下された場合に、ゴルフのデータ表示ウインドウ３００を表示させる。図２８に示すようにゴルフのデータ表示ウインドウ３００は、このウインドウがいずれのデータを表示するものであるかを示すモード名表示欄３１０と、データを表形式で表示する表３３０と、データをグラフ形式で表示するグラフ３４０と、表３３０及びグラフ３４０に表示するデータの日付範囲を設定するための日付範囲設定ボタン３２０と、表３３０のデータを日付順に集計して表示するための日付順表示ボタン３５０、表示項目選択ボタン群３６０を備える。表示項目選択ボタン群３６０は、ヘッドスピード表示ボタンと、ボールスピード表示ボタンと、ミート率表示ボタンと、推定飛距離表示ボタンとを備える。
【０１２１】
モード名表示欄３１０には「ゴルフ」の文字列とこの文字列の左側にゴルフモードであることを示すクラブとボールの絵によるアイコンを表示している。
【０１２２】
ゴルフモードの表３３０は、ハードディスクのファイル名mstrgl.mstのファイルから日付範囲設定ボタン３２０に表示されている範囲の日付が付加された行のデータを読み出して表示するものであり、表示項目としてクラブ種、最大、平均、最小を表示する。クラブ種は、上から下へ順に１Ｗ、３Ｗ、5 Ｗ、３Ｉ、４Ｉ、５Ｉ、６Ｉ、７Ｉ、８Ｉ、９Ｉ、User1、User2、User3に対応させたＷ１、Ｗ３、 Ｗ５、Ｉ３、Ｉ４、Ｉ５、Ｉ６、Ｉ７、Ｉ８、Ｉ９、Ｕ１、Ｕ２、Ｕ３を表示している。そして、表示項目選択ボタン群３６０の中で選択された表示項目について各クラブ種別に日付範囲設定ボタン３２０に表示されている範囲の日付のデータを集計して、各クラブ種別にその表示項目のデータの最大値（最大）と平均値（平均）と最小値（最小）を表示する。図２８（ａ）の例では、表示項目選択ボタン群３６０のうちヘッドスピード表示ボタンが押下されているため、ヘッドスピードについて各クラブ種別に日付範囲設定ボタン３２０に表示されている範囲の日付のデータを集計した最大値（最大）と平均値（平均）と最小値（最小）が表示されている。
【０１２３】
グラフ３４０は、ハードディスクのファイル名mstrb2.mstのファイルから日付範囲設定ボタン３２０に表示されている範囲の日付が付加された行の表示項目選択ボタン群３６０の中で選択された表示項目のデータを読み出して、クラブ種に対応させたＷ１、Ｗ３、 Ｗ５、Ｉ３、Ｉ４、Ｉ５、Ｉ６、Ｉ７、Ｉ８、Ｉ９、Ｕ１、Ｕ２、Ｕ３を横軸に、表示項目選択ボタン群３６０の中で選択された表示項目のデータの値を縦軸として、グラフを描画する。図２８（ａ）の例では、表示項目選択ボタン群３６０の中からヘッドスピード表示ボタンが押下され、日付の範囲として2010/04/15〜2010/04/15が選択されているため、2010/04/15のデータをファイル名mstrb2.mstのファイルからクラブ種とヘッドスピードの値を読み出し、クラブ種ごとに読み出した値をプロットしている。このプロットは、クラブ種ごとに色と形状を異なるものとして行なっている。すなわち、同一のクラブ種のデータは同一の色と形状でプロットし、異なるクラブ種のデータは異なる色または形状でプロットするようにしている。
【０１２４】
なお、日付範囲設定ボタン３２０には、現在設定されている日付範囲を表示している。図２８の例では、2010/04/15〜2010/04/15の１日分が現在設定されている日付範囲であり、この１日分のデータを、表３３０、グラフ３４０に表示している。日付範囲設定ボタン３２０の押下を検出した際の処理は、ピッチングのデータ表示ウインドウにおける日付範囲設定ボタン３２０の押下検出時の処理と同様である。
【０１２５】
日付順表示ボタン３５０の押下を検出した場合、図２８（ｂ）に示すように、表３３０にクラブ種に対応させたＷ１、Ｗ３、 Ｗ５、Ｉ３、Ｉ４、Ｉ５、Ｉ６、Ｉ７、Ｉ８、Ｉ９、Ｕ１、Ｕ２、Ｕ３を表示し、この表示したクラブ種の中からグラフ３４０にデータを表示させるクラブ種を選択させる。
【０１２６】
グラフ３４０には、表３３０で選択されたクラブ種の表示項目選択ボタン群３６０の中で選択された表示項目のデータを、日付ごとの値として表示する。グラフ３４０は、日付ごとの値の最大値から最小値の範囲を、ボックス上のバー（中抜きのバー）として表示し、日付ごとの値の平均値を点「■」として表示する。このように、日付ごとに日付順に左から右へ並べて、バーとして表示することにより、日々の変化を容易に知ることができ、練習の成果を容易に確認することができる。例えば、図２８（ｂ）の例では、2010/4/15の一日分の表示をしているが、日付範囲の設定を複数の日付としてそれらの日の測定結果間の比較を行うことも容易にできる。
【０１２７】
次に短距離走データ表示ボタン２１４が押下された場合の処理について説明する。短距離走データ表示ボタン２１４が押下された場合の処理は、ピッチングデータ表示ボタン２１１が押下された場合の処理と略同様であり、読み込むファイルが、mstrsp.mstであること、表示させるウインドウが図２９に示すような短距離走のデータ表示ウインドウであること等が異なる。具体的な処理としては、短距離走データ表示ボタン２１４が押下された場合に、短距離走のデータ表示ウインドウ３００を表示させる。図２９に示すように短距離走のデータ表示ウインドウ３００は、このウインドウがいずれのデータを表示するものであるかを示すモード名表示欄３１０と、データを表形式で表示する表３３０と、データをグラフ形式で表示するグラフ３４０と、表３３０及びグラフ３４０に表示するデータの日付範囲を設定するための日付範囲設定ボタン３２０と、表３３０のデータを日付順に集計して表示するための日付順表示ボタン３５０を備える。モード名表示欄３１０には「短距離走」の文字列とこの文字列の左側に短距離走モードであることを示す走者の絵によるアイコンを表示している。
【０１２８】
短距離走モードの表３３０は、ハードディスクのファイル名mstrsp.mstのファイルから日付範囲設定ボタン３２０に表示されている範囲の日付が付加された単位ごとのデータを読み出して表示するものであり、表示項目として連番、最高速度、到達時間、維持時間、日付等を備える。連番は、その日付の付いた単位の読み込み順に付与した番号である。最高速度は、その単位における速度のデータ群の最高値を抽出したものである。到達時間はその最高値へ到達するのに要した時間であり、維持時間は最高値から最高速度保持距離として本体１０に設定されている値（初期値２ｋｍ／ｈ）の減速を検出するまでの時間を求めて表示するものである。この表示した表３３０の各行の中からグラフ３４０にデータを表示させる行を選択させ、選択された行の単位のデータをグラフ３４０に表示させる。例えば、図２９（ａ）の例では、表３３０において連番の１番の単位のデータが選択された状態（短距離走のデータ表示ウインドウ３００のデフォルトの表示状態）を示しており、この連番が１番の単位のデータがグラフ３４０として表示されている。一方、図３０の例では、表３３０において連番の９番の単位のデータが選択された状態を示しており、この連番が９番の単位のデータがグラフ３４０として表示されている。このように、グラフ３４０には、表３３０で選択された行の単位内の速度データを、その検出時間を横軸、速度値を縦軸として、プロットする。
【０１２９】
なお、日付範囲設定ボタン３２０には、現在設定されている日付範囲を表示している。図２９の例では、2010/04/15〜2010/04/15の１日分が現在設定されている日付範囲であり、この１日分のデータを、表３３０、グラフ３４０に表示している。日付範囲設定ボタン３２０の押下を検出した際の処理は、ピッチングのデータ表示ウインドウにおける日付範囲設定ボタン３２０の押下検出時の処理と同様である。
【０１３０】
短距離走のデータ表示ウインドウ３００には、グラフオプション選択プルダウンメニュー３７０を備える。グラフオプション選択プルダウンメニューボタン３７０が押下された場合、図３１（ａ）に示すようにグラフオプション選択プルダウンメニュー４１０を表示する。グラフオプション選択プルダウンメニュー４１０は、上から下へ順に、比較データ読み込み、Ｘ：Ａｕｔｏ、Ｘ：１０ｓ、Ｘ：２０ｓ、Ｘ：４０ｓ、Ｘ：Ａｕｔｏ、Ｘ：５０ｍ、Ｘ：１００ｍ、Ｘ：２００ｍ、Ｙ：Ａｕｔｏ、Ｙ：１０ｋｍ／ｈ、Ｙ：２０ｋｍ／ｈ、Ｙ：４０ｋｍ／ｈの各メニューを備える。「Ｘ：」で始まるメニューの中から１つ、「Ｙ：」で始まるメニューの中から１つが選択可能であり、選択されたメニューの左側には、チェックマークを表示する。図３１（ａ）の例では、「Ｘ：」で始まるメニューの中からＸ：Ａｕｔｏメニューが、「Ｙ：」で始まるメニューの中からＹ：Ａｕｔｏが選択された状態を示している。「Ｘ：」で始まるメニューはグラフ３４０のＸ軸の最大値、「Ｙ：」で始まるメニューはグラフ３４０のＹ軸の最大値であり、Ｘ：Ａｕｔｏの場合には、その単位の中の最終の値の時間（上側のＸ：Ａｕｔｏ）または距離（下側のＸ：Ａｕｔｏ）を最大値として設定している。またＸ軸は、時間として秒「ｓ」とするか、距離としてメートル「ｍ」とするかを選択可能としている。図３１（ｂ）は、Ｘ：１０ｓ、Ｙ：２０ｋｍ／ｈを選択した場合のグラフ３４０の表示例である。
【０１３１】
日付順表示ボタン３５０の押下を検出した場合、図２９（ｂ）に示すように、表３３０と、グラフ３４０とを、日付ごとに集計した値として表示する。表３３０には、「日付」と、その日付のデータの単位の数である「カウント」と、その日付のデータの中の最高速度である「最高速度Ｍａｘ」を表示する。グラフ３４０には、日付を横軸、速度を縦軸として、最高速度の速度の値を点「■」として表示する。このように、日々の速度値を日付ごとに日付順に左から右へ並べて、点として表示することにより、日々の変化を容易に知ることができ、練習の成果を容易に確認することができる。例えば、図２９（ｂ）の例では、2010/4/15の一日分の表示をしているが、日付範囲の設定を複数の日付としてそれらの日の測定結果間の比較を行うことも容易にできる。
【０１３２】
図３１のグラフオプション選択プルダウンメニューで、「比較データの読み込み」が押下された場合には、図３２に示す「短距離走 比較データ読込」ダイアログを表示する。このダイアログは、上から下へ順に、比較データフォルダ選択ボタン、日付選択ボタン、比較データ表示領域を備え、最下段に左から順にＯＫボタン、比較なしボタン、キャンセルボタンを備える。
【０１３３】
比較データフォルダ選択ボタン（図の「参照」のボタン）が押下された場合、フォルダ選択ダイアログを表示して、比較するデータのあるフォルダを選択可能とする。図３２の例ではc:\mstdataが選択されていることを示している。日付選択ボタンは、押下により比較対象としたデータの日付を選択可能としており、現在選択されている日付をボタン上に表示している。比較データ表示領域は、比較データフォルダ指定ボタンによって指定されたフォルダ内のmstrsp.mstファイルから日付選択ボタンに表示されている範囲の日付が付加された単位ごとのデータを読み出して表示するものであり、表示項目として連番、最高速度、到達時間、維持時間、日付等を備える。連番は、その日付の付いた単位の読み込み順に付与した番号である。この表示形式は、図２９の表３３０と同様の形式としている。この表の中から、比較対象としたいデータの行を選択し（選択された項目は反転表示している）、ＯＫボタンが押下された場合には、その行のデータを比較対象として設定する。図３３（ａ）は、比較対象のデータとして、図２９に表示されたデータと同一のデータを選択した場合の表示例である。同一のデータを選択しているため、比較対象のデータと選択したデータとが同一（連番の一番目のデータ）であり、比較対象のデータのグラフと選択されたデータのグラフとが重なって表示されている。この状態で、図３３（ｂ）に示すように９番目のデータを選択すると、９番目のデータが選択されたデータとなり、１番目のデータが比較対象のデータとなって、両グラフが同時にグラフ３４０として表示される。このようにして、２つの単位のデータを容易に比較することができる。
【０１３４】
次に汎用データ表示ボタン２１５が押下された場合の処理について説明する。汎用データ表示ボタン２１５が押下された場合の処理は、短距離走データ表示ボタン２１４が押下された場合の処理と略同様であり、読み込むファイルが、mstrcr.mstであること、表示させるウインドウが図３４に示すような汎用のデータ表示ウインドウであることが異なるのみである。
【０１３５】
次にＰＣモニターボタン２４０の押下時の処理について説明する。ＰＣモニターボタン２４０の押下時には、速度測定装置本体１０とパソコンをＵＳＢケーブルで接続するとリアルタイムに速度測定装置本体１０での測定値をパソコン１１０に取り込み、ディスプレイ１２０に表示させる処理を行う。ＰＣモニターボタン２４０が押下された場合、図３５に示すように測定結果表示ウインドウを表示して測定値を表示する。図３５は、測定結果表示ウインドウのピッチングボタンが押下された状態を示し、図３６（ａ）は、測定結果表示ウインドウのバッティングボタンが押下された状態を示し、図３６（ｂ）は、測定結果表示ウインドウのゴルフボタンが押下された状態を示し、図３６（ｃ）は、測定結果表示ウインドウの短距離走ボタンが押下された状態を示し、図３６（ｄ）は、測定結果表示ウインドウの汎用ボタンが押下された状態を示している。このように、検出モード選択のための「ピッチング」「バッティング」「ゴルフ」「短距離走」「汎用」の各ボタンの押下に応じて５つの検出モードから表示する項目を選択する。通信開始ボタンを押下すると速度測定装置本体１０と通信を開始し記録を表示する。
【０１３６】
このようにして、速度測定装置本体１０の表示部１４（図２参照）に表示する項目を、ディスプレイ１２０に表示させることができる。速度測定装置本体１０の表示部１４よりもディスプレイ１２０のほうが大きな画面とすることができるので、例えば大勢で測定結果を見ることも容易にできる。
【０１３７】
次に、設定ボタン２５０が押下された場合、図３７に示す設定ダイアログを表示する。設定ダイアログの上部２段目には左から順にピッチング、バッティング、ゴルフ、短距離走、汎用の設定タブを設けている。設定ダイアログでピッチングのタブが選択された場合には図３７に示すようにピッチングの設定項目を表示し、設定ダイアログでバッティングのタブが選択された場合には図３８に示すようにバッティングの設定項目を表示し、設定ダイアログでゴルフのタブが選択された場合には図３９に示すようにゴルフの設定項目を表示し、設定ダイアログで短距離走のタブが選択された場合には図４０に示すように短距離走の設定項目を表示し、設定ダイアログで汎用のタブが選択された場合には図４１に示すように汎用の設定項目を表示する。
【０１３８】
これらの設定項目は、速度測定装置本体１０の各モードでの設定メニューで設定可能な項目などであり、設定ダイアログの下段の読み込みボタンの押下で、速度測定装置本体１０からパソコン１１０へ設定を読み込む処理（速度測定装置本体１０の制御部１３で設定をパソコン１１０へ送信する処理）を行い、設定ダイアログの下段のＯＫボタンの押下でパソコン１１から速度測定装置本体１０へ設定を送信する処理（速度測定装置本体１０の制御部１３では設定をパソコン１１０から受信して不揮発性メモリに記憶した設定を更新する処理）を行う。
このようにすることで、パソコン１１０のディスプレイ１１０及びマウス等を利用して容易に速度測定装置本体１０の設定を行うことができる。
【符号の説明】
【０１３９】
１０  速度測定装置本体
１１  マイクロ波ドップラーセンサ
１２  アンプ
１３  演算部
１４  表示部
１５  記憶部
１１０  パソコン
１２０  ディスプレイ
１３０  カードリーダライタ
【図１】
2014193404.tif 000003
【図２】
2014193404.tif 000004
【図３】
2014193404.tif 000005
【図４】
2014193404.tif 000006
【図５】
2014193404.tif 000007
【図６】
2014193404.tif 000008
【図７】
2014193404.tif 000009
【図８】
2014193404.tif 000010
【図９】
2014193404.tif 000011
【図１０】
2014193404.tif 000012
【図１１】
2014193404.tif 000013
【図１２】
2014193404.tif 000014
【図１３】
2014193404.tif 000015
【図１４】
2014193404.tif 000016
【図１５】
2014193404.tif 000017
【図１６】
2014193404.tif 000018
【図１７】
2014193404.tif 000019
【図１８】
2014193404.tif 000020
【図１９】
2014193404.tif 000021
【図２０】
2014193404.tif 000022
【図２１】
2014193404.tif 000023
【図２２】
2014193404.tif 000024
【図２３】
2014193404.tif 000025
【図２４】
2014193404.tif 000026
【図２５】
2014193404.tif 000027
【図２６】
2014193404.tif 000028
【図２７】
2014193404.tif 000029
【図２８】
2014193404.tif 000030
【図２９】
2014193404.tif 000031
【図３０】
2014193404.tif 000032
【図３１】
2014193404.tif 000033
【図３２】
2014193404.tif 000034
【図３３】
2014193404.tif 000035
【図３４】
2014193404.tif 000036
【図３５】
2014193404.tif 000037
【図３６】
2014193404.tif 000038
【図３７】
2014193404.tif 000039
【図３８】
2014193404.tif 000040
【図３９】
2014193404.tif 000041
【図４０】
2014193404.tif 000042
【図４１】
2014193404.tif 000043